(57)【特許請求の範囲】
【請求項１】
本体と、
前記本体に取付可能な扉体と、
を備えた遊技台であって、
前記扉体は、第一の球通路が設けられたものであり、
前記扉体は、第三の球通路が設けられたものであり、
前記扉体は、操作手段が設けられたものであり、
前記扉体は、上皿が設けられたものであり、
前記扉体は、下皿が設けられたものであり、
前記扉体は、排出口が設けられたものであり、
前記本体は、発射手段が設けられたものであり、
前記発射手段とは、発射位置にある遊技球を発射可能な手段であり、
前記本体は、球送手段が設けられたものであり、
前記本体は、第二の球通路が設けられたものであり、
前記第三の球通路を通過した遊技球が前記排出口から排出されるように構成されており、
前記排出口から排出された遊技球が前記下皿へ貯留可能に構成されており、
前記第二の球通路と前記発射手段の間に前記球送手段が位置するように構成されており、
前記球送手段によって、前記第二の球通路を通過した遊技球を前記発射位置へ移動させるように構成されており、
前記球送手段と前記第三の球通路が連通しない位置関係で構成されており、
前記操作手段の操作があっても、前記球送手段が動作しないように構成されており、
前記上皿を流下した遊技球が前記第一の球通路へ誘導されるように構成されており、
前記扉体の状態を第一の状態から第二の状態へ変化可能に構成されており、
前記第一の状態とは、前記扉体が閉鎖されている状態のことであり、
前記第二の状態とは、前記扉体が開放されている状態のことであり、
前記扉体が前記第一の状態であって、前記操作手段の操作がなかった場合に、前記第一の球通路の遊技球が前記第二の球通路へ誘導されるように構成されており、
前記第一の球通路から前記第二の球通路へ進入した遊技球が、前記球送手段によって保持されるように構成されており、
前記扉体が前記第一の状態であって、前記操作手段の操作があった場合に、前記第一の球通路の遊技球が前記第二の球通路へ誘導されないように構成されており、
前記扉体が前記第一の状態であって、前記操作手段の操作があった場合に、前記第一の球通路の遊技球が前記第三の球通路へ誘導されるように構成されており、
前記扉体が前記第二の状態において、前記第一の球通路の遊技球が前記第二の球通路へ誘導されないように構成されており、
前記扉体が前記第二の状態であって、前記操作手段の操作がなかった場合に、前記第一の球通路の内部に遊技球が保持されるように構成されており、
前記扉体が前記第二の状態であって、前記操作手段の操作があった場合に、前記第一の球通路の遊技球が前記第三の球通路を介して前記下皿へ誘導されるように構成されている、
ことを特徴とする遊技台。
【請求項２】
請求項１に記載の遊技台であって、
前記本体は、ケース体が設けられたものであり、
前記球送手段は、前記ケース体の一部を含んで構成された手段であり、
前記球送手段は、前記第二の球通路が設けられた手段であり、
前記第二の球通路の一部が、前記ケース体における前記扉体側の壁部よりも突出するように構成されている、
ことを特徴とする遊技台。
【請求項３】
請求項１または２に記載の遊技台であって、
前記球送手段は、前記扉体側へ突出した凸部が設けられた手段であり、
前記操作手段とは、第二の操作手段のことであり、
前記扉体は、第一の部品が設けられたものであり、
前記第一の部品は、第一の操作手段が設けられた部品であり、
前記第一の部品は、第一の遮蔽手段が設けられた部品であり、
前記第一の操作手段が操作されることで、前記第一の遮蔽手段が第一の位置から第二の位置へ移動するように構成され、
前記扉体が閉鎖された際に、前記凸部により前記第一の操作手段が操作され、
前記第一の位置とは、前記第一の球通路と前記第二の球通路を遮断する位置であり、
前記第二の位置とは、前記第一の球通路を通過した遊技球が前記第二の球通路へ進入可能となる位置である、
ことを特徴とする遊技台。
【請求項４】
請求項１乃至３のいずれか一項に記載の遊技台であって、
前記扉体は、第二の部品が少なくとも設けられたものであり、
前記第二の部品は、第二の遮蔽手段を含んで構成された部品であり、
前記第二の遮蔽手段は、前記第一の球通路と前記第三の球通路の間に設けられた手段であり、
前記第二の遮蔽手段は、前記操作手段の操作があった場合に、第三の位置から第四の位置へ移動可能な手段であり、
前記第三の位置とは、前記第一の球通路と前記第三の球通路を遮断する位置であり、
前記第四の位置とは、前記第一の球通路を通過した遊技球が前記第三の球通路へ進入可能となる位置である、
ことを特徴とする遊技台。
【発明の詳細な説明】
【技術分野】
【０００１】
本発明は、回胴遊技機（スロットマシン）や弾球遊技球（パチンコ機）などに代表される遊技台に関する。
【背景技術】
【０００２】
従来、遊技球が通過可能な複数の通路を備え、該複数の通路を互いに連通させることによって遊技球を所定の場所まで案内するように構成された遊技台が提案されている（例えば、特許文献１参照）。
【先行技術文献】
【特許文献】
【０００３】
【特許文献１】特開２００９−９５５１３号公報
【発明の概要】
【発明が解決しようとする課題】
【０００４】
しかしながら、従来の遊技台は、遊技球の保持手段について改良の余地がある。
【０００５】
本発明の目的は、遊技球の保持手段を特徴とする遊技台を提供することにある。
【課題を解決するための手段】
【０００６】
本発明に係る遊技台は、本体と、前記本体に取付可能な扉体と、を備えた遊技台であって、前記扉体は、第一の球通路が設けられたものであり、前記扉体は、第三の球通路が設けられたものであり、前記扉体は、操作手段が設けられたものであり、前記扉体は、上皿が設けられたものであり、前記扉体は、下皿が設けられたものであり、前記扉体は、排出口が設けられたものであり、前記本体は、発射手段が設けられたものであり、前記発射手段とは、発射位置にある遊技球を発射可能な手段であり、前記本体は、球送手段が設けられたものであり、前記本体は、第二の球通路が設けられたものであり、前記第三の球通路を通過した遊技球が前記排出口から排出されるように構成されており、前記排出口から排出された遊技球が前記下皿へ貯留可能に構成されており、前記第二の球通路と前記発射手段の間に前記球送手段が位置するように構成されており、前記球送手段によって、前記第二の球通路を通過した遊技球を前記発射位置へ移動させるように構成されており、前記球送手段と前記第三の球通路が連通しない位置関係で構成されており、前記操作手段の操作があっても、前記球送手段が動作しないように構成されており、前記上皿を流下した遊技球が前記第一の球通路へ誘導されるように構成されており、前記扉体の状態を第一の状態から第二の状態へ変化可能に構成されており、前記第一の状態とは、前記扉体が閉鎖されている状態のことであり、前記第二の状態とは、前記扉体が開放されている状態のことであり、前記扉体が前記第一の状態であって、前記操作手段の操作がなかった場合に、前記第一の球通路の遊技球が前記第二の球通路へ誘導されるように構成されており、前記第一の球通路から前記第二の球通路へ進入した遊技球が、前記球送手段によって保持されるように構成されており、前記扉体が前記第一の状態であって、前記操作手段の操作があった場合に、前記第一の球通路の遊技球が前記第二の球通路へ誘導されないように構成されており、前記扉体が前記第一の状態であって、前記操作手段の操作があった場合に、前記第一の球通路の遊技球が前記第三の球通路へ誘導されるように構成されており、前記扉体が前記第二の状態において、前記第一の球通路の遊技球が前記第二の球通路へ誘導されないように構成されており、前記扉体が前記第二の状態であって、前記操作手段の操作がなかった場合に、前記第一の球通路の内部に遊技球が保持されるように構成されており、前記扉体が前記第二の状態であって、前記操作手段の操作があった場合に、前記第一の球通路の遊技球が前記第三の球通路を介して前記下皿へ誘導されるように構成されている、ことを特徴とする遊技台である。
【発明の効果】
【０００７】
本発明によれば、操作手段が操作された時の演出に特徴を持った遊技台を提供できる。
【図面の簡単な説明】
【０００８】
【図１】パチンコ機を正面側（遊技者側）から見た外観斜視図である。
【図２】パチンコ機を背面側から見た外観図である。
【図３】遊技盤を正面から見た略示正面図である。
【図４】パチンコ機１００の前面枠扉１０６を開放してパチンコ機１００の内部構造を示した外観斜視図である。
【図５】図４において符号Ａで示した、扉側球通路ユニット３５０近傍の部分拡大図である。
【図６】前面枠扉１０６の一部を透過させて上皿１２６、扉側球通路ユニット３５０などの部材を示すとともに、本体１０４から発射装置４５０のみを抜き出して示した斜視図である。
【図７】（ａ）扉側球通路ユニット３５０のストッパ３５４を正面側から見た外観斜視図である。（ｂ）扉側球通路ユニット３５０のストッパ３５４を背面側から見た外観斜視図である。
【図８】（ａ）前面枠扉１０６が本体１０４に対して第一の量だけ開放されているときの扉側球通路ユニット３５０と発射装置４５０の位置関係を示した図である。（ｂ）前面枠扉１０６が本体１０４に対して（ａ）に示す第一の量よりも小さい第二の量だけ開放されているときの扉側球通路ユニット３５０と発射装置４５０の位置関係を示した図である。（ｃ）前面枠扉１０６が本体１０４に対して閉鎖されているときの扉側球通路ユニット３５０と発射装置４５０の位置関係を示した図である。
【図９】図８（ａ）〜（ｃ）に示す各々の状態を上方から見た図である。
【図１０】パチンコ機１００から上皿１２６近傍の部材のみを抜き出した側面図である。
【図１１】図１０においてＡ−Ａ線で示す側断面図である。
【図１２】（ａ）実施形態２に係る扉側球通路ユニット３７０においてシャッタ３７０ｂを閉じた状態を示した外観斜視図である。（ｂ）同扉側球通路ユニット３７０においてシャッタ３７０ｂを開いた状態を示した外観斜視図である。
【図１３】（ａ）実施形態３に係る扉側球通路ユニット３８０においてシャッタ３８０ｂを閉じた状態を示した外観斜視図である。（ｂ）同扉側球通路ユニット３８０においてシャッタ３８０ｂを開いた状態を示した外観斜視図である。
【図１４】図１３（ａ）、（ｂ）の各々を背面から見た外観斜視図である。
【図１５】図１３（ａ）、（ｂ）の各々の主要部のみを上方から見た部分拡大図である。
【図１６】発射装置４５０の外観斜視図である。
【図１７】発射装置４５０の一部を透過して示す外観斜視図である。
【図１８】発射装置４５０の分解斜視図である。
【図１９】（ａ）カバー部４７４を取り除いた状態の発射装置４５０において、発射槌４８４が初期位置にあるときの平面図である。（ｂ）カバー部４７４を取り除いた状態の発射装置４５０において、発射槌４８４が作動位置にあるときの平面図である。
【図２０】（ａ）図１９（ａ）から球送りレバー４８８や球送り部ベース４９２などの部材を取り除いた平面図である。（ｂ）図１９（ｂ）から球送りレバー４８８や球送り部ベース４９２などの部材を取り除いた平面図である。
【図２１】パチンコ機からタンクレールと払出装置だけを抜き出して示した外観斜視図である。
【図２２】（ａ）図２１において符号Ａで示す丸で囲った部分を拡大して示した部分拡大図である。（ｂ）（ａ）に示すタンクレールと払出装置を離間した状態においてタンクレールの一部を透過して示す図である。
【図２３】図２２に示す払出装置から第一カバー部材を取り外した状態を示した部分拡大図である。
【図２４】（ａ）連通状態のタンクレールと払出装置を示した図である。（ｂ）連通状態が解除されたタンクレールと払出装置を示した図である。
【図２５】パチンコ機の前面枠扉を開放してパチンコ機の内部構造を示した外観斜視図である。
【図２６】（ａ）図２５において符号Ｂで示す丸で囲った部分を拡大して示した部分拡大図である。（ｂ）（ａ）に示す払出通路ユニットと排出口ユニットをさらに拡大して示した部分拡大図である。
【図２７】排出口ユニットの分解斜視図である。
【図２８】（ａ）スライダが収容されているときの排出口ユニットの外観斜視図である。（ｂ）スライダが突出しているときの排出口ユニットの外観斜視図である。
【図２９】（ａ）図２８（ａ）に示す排出口ユニットを裏から見た外観斜視図である。（ｂ）図２８（ｂ）に示す排出口ユニットを裏から外観斜視図である。
【図３０】（ａ）スライダがベースの外側に最大量突出しているときの排出口ユニットの外観斜視図である。（ｂ）（ａ）の状態においてスライダ近傍だけを抜き出して上方から見た図である。
【図３１】（ａ）前面枠扉を完全に閉鎖したときの排出口ユニットの様子をパチンコ機上方から見た図である。（ｂ）（ａ）に示す状態から前面枠扉を少量だけ開放したときの排出口ユニットの様子を示した図である。（ｃ）（ｂ）に示す状態から前面枠扉をさらに少量だけ開放したときの排出口ユニットの様子を示した図である。
【図３２】（ａ）〜（ｃ）図３１（ａ）〜（ｃ）に示す様子をパチンコ機側方から見た図である。
【図３３】（ａ）実施形態２に係るスライダが収容されているときの排出口ユニットの外観斜視図である。（ｂ）スライダが突出しているときの排出口ユニットの外観斜視図である。
【図３４】（ａ）図３３（ａ）に示す排出口ユニットを裏から見た外観斜視図である。（ｂ）図３３（ｂ）に示す排出口ユニットを裏から外観斜視図である。
【図３５】（ａ）実施形態３に係るスライダが収容されているときの排出口ユニットの外観斜視図である。（ｂ）スライダが突出しているときの排出口ユニットの外観斜視図である。
【図３６】（ａ）図３５（ａ）に示す排出口ユニットを裏から見た外観斜視図である。（ｂ）図３５（ｂ）に示す排出口ユニットを裏から外観斜視図である。
【図３７】（ａ）実施形態４に係るスライダが収容されているときの排出口ユニットの外観斜視図である。（ｂ）スライダが突出しているときの排出口ユニットの外観斜視図である。
【図３８】（ａ）図３７（ａ）に示す排出口ユニットを裏から見た外観斜視図である。（ｂ）図３７（ｂ）に示す排出口ユニットを裏から外観斜視図である。
【図３９】（ａ）扉体Ｄが本体に対して第一の量だけ開放されているときの扉側通路Ｄ１と球送装置Ｂの位置関係を示した図である。（ｂ）（ａ）に示す状態を上方から見た図である。
【図４０】（ａ）扉体Ｄが本体に対して図３９（ａ）に示す第一の量よりも小さい第二の量だけ開放されているときの扉側通路Ｄ１と球送装置Ｂの位置関係を示した図である。（ｂ）（ａ）に示す状態を上方から見た図である。
【図４１】（ａ）扉体Ｄが本体に対して閉鎖されているときの扉側通路Ｄ１と球送装置Ｂの位置関係を示した図である。（ｂ）（ａ）に示す状態を上方から見た図である。
【発明を実施するための形態】
【０００９】
以下、図面を用いて、本発明の実施形態１に係る遊技台（例えば、パチンコ機１００等の弾球遊技機やスロット機等の回胴遊技機）について詳細に説明する。
【００１０】
＜全体構成＞
【００１１】
まず、図１を用いて、本発明の実施形態１に係るパチンコ機１００の全体構成について説明する。なお、同図はパチンコ機１００を正面側（遊技者側）から見た外観斜視図である。
【００１２】
パチンコ機１００は、外部的構造として、外枠１０２と、本体１０４と、前面枠扉１０６と、球貯留皿付扉１０８と、発射装置１１０と、遊技盤２００と、をその前面に備える。外枠１０２は、遊技機設置営業店に設けられた設置場所（島設備等）へと固定させるための縦長方形状から成る木製の枠部材である。本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１３】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１４】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で、且つ発射装置４５０（詳細は後述。例えば、図６参照）へと遊技球を案内する扉側球通路ユニット３５０（詳細は後述。例えば、図６参照）が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６の演出態様に変化を与えるチャンスボタン１３６と、チャンスボタン１３６を発光させるチャンスボタンランプ１３８と、を備える。また、下皿１２８が満タンであることを検出する不図示の下皿満タンセンサを備える。なお、扉側球通路ユニット３５０と発射装置４５０の詳細な構造については、後述の＜扉側球通路ユニットと発射装置の構造＞において説明する。
【００１５】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部から観察することができる。
【００１６】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１７】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１８】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、排出口１５２ａを通過してパチンコ機１００の表側に配設した上皿１２６に到達するように構成しており、パチンコ機１００は、この構成により遊技者に対して球の払い出しを行う。
【００１９】
払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインターフェース部１８６を配設している。
【００２０】
図３は、遊技盤２００を正面から見た略示正面図である。遊技盤２００には、外レール２０２と内レール２０４とを配設し、遊技球が転動可能な遊技領域１２４を区画形成している。
【００２１】
遊技領域１２４の略中央には、演出装置２０６を配設している。この演出装置２０６には、略中央に装飾図柄表示装置２０８を配設し、その周囲に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２を配設している。なお、以下、普通図柄を「普図」、特別図柄を「特図」と称する場合がある。演出装置２０６は、演出可動体２２４を動作して演出を行うものであり、詳細については後述する。
【００２２】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成する。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２３】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００２４】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２５】
また、この演出装置２０６の周囲には、所定の球進入口、例えば、一般入賞口２２６と、普図始動口２２８と、第１特図始動口２３０と、第２特図始動口２３２と、可変入賞口２３４を配設している。
【００２６】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２７】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００２８】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００２９】
第２特図始動口２３２は、電動チューリップ（電チュー）と呼ばれ、本実施例では第１特図始動口２３０の真下に１つだけ配設している。この第２特図始動口２３２は、左右に開閉自在な羽根部材２３２ａを備え、羽根部材２３２ａの閉鎖中は球の入球が不可能であり、普図変動遊技に当選し、普図表示装置２１０が当たり図柄を停止表示した場合に羽根部材２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００３０】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置が大当たり図柄を停止表示した場合に扉部材２３４ａが所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３１】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口を設けている。
【００３２】
このパチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００３３】
＜演出装置２０６＞
【００３４】
次に、パチンコ機１００の演出装置２０６について説明する。この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽手段は、ワープ装置２４２、ステージ２４４、および演出可動体２２４の後方に位置することとなる。
【００３５】
ワープ装置２４２は、演出装置２０６の左上方に設けたワープ入口２４２ａに入った遊技球を演出装置２０６の前面下方のステージ２４４にワープ出口２４２ｂから排出する。
【００３６】
ステージ２４４は、ワープ出口２４２ｂから排出された球や遊技盤２００の釘などによって乗り上げた球などが転動可能であり、ステージ２４４の中央部には、通過した球が第１特図始動口２３０へ入球し易くなるスペシャルルート２４４ａを設けている。
【００３７】
演出可動体２２４は、本実施形態では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００３８】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。遮蔽手段は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００３９】
＜扉側球通路ユニットと発射装置の構造＞
【００４０】
次に、扉側球通路ユニット３５０と発射装置４５０の構造について詳細に説明する。図４は、パチンコ機１００の前面枠扉１０６を開放してパチンコ機１００の内部構造を示した外観斜視図であり、図５は、図４において符号Ａで示した、扉側球通路ユニット３５０近傍の部分拡大図である。
【００４１】
上述のとおり、パチンコ機１００の前面扉１０６の下方には、上皿１２６が備える扉側球通路ユニット３５０が配置され、本体１０４には、扉側球通路ユニット３５０に対向する位置に、発射装置４５０が配置されている。パチンコ機１００では、前面扉１０６が閉鎖されている場合に、該前面扉１０６に設けられた扉側球通路ユニット３５０の遊技球が発射装置４５０に供給されるように構成されている。
【００４２】
＜扉側球通路ユニットの構造＞
【００４３】
図６は、前面枠扉１０６の一部を透過させて上皿１２６、扉側球通路ユニット３５０などの部材を示すとともに、本体１０４から発射装置４５０のみを抜き出して示した斜視図である。また、図７（ａ）は、扉側球通路ユニット３５０のストッパ３５４を正面側から見た外観斜視図であり、同図（ｂ）は、扉側球通路ユニット３５０のストッパ３５４を背面側から見た外観斜視図である。
【００４４】
扉側球通路ユニット３５０は、上皿１２６に貯留された遊技球を発射装置４５０に案内するための筒状の球通路３５２と、この球通路３５２の排出口近傍に配置されて当該排出口から遊技球が排出されるのを許可または禁止することが可能なストッパ３５４と、を有して構成されている。ストッパ３５４は、図７に拡大して示すように、中央に矩形状の開口部を有するベース３５４ａと、このベース３５４ａの長手方向にスライド可能な板状のシャッタ３５４ｂと、ベース３５４ａとシャッタ３５４ｂとの間に縮設されたバネ３５４ｃと、シャッタ３５４ｂの一端側に固定されるとともにベース３５４ａの開口部から突出された平面視が直角三角形形状の操作部３５４ｄと、を有して構成されている。
【００４５】
シャッタ３５４ｂは、操作部３５４ｄをベース３５４ａの開口部に沿ってスライドさせることによって、球通路３５２の排出口から遊技球が排出されるのを許可する球通過許可位置（例えば、図９（ｃ）に示す位置）と、球通路３５２の排出口から遊技球が排出されるのを禁止する球通過禁止位置（例えば、図９（ａ）に示す位置）との間をスライド可能に構成されている。なお、球通過許可位置は、少なくとも１個の遊技球を球通路３５２の排出口から排出することができる位置であればよく、シャッタ３５４ｂが完全に開いた状態でなくてもよい。また、球通過禁止位置は、遊技球を球通路３５２の排出口から排出することができない位置であればよく、シャッタ３５４ｂが完全に閉まった状態でなくてもよい。
【００４６】
＜扉側球通路ユニットの動作＞
【００４７】
図８（ａ）は、前面枠扉１０６が本体１０４に対して第一の量だけ開放されているときの扉側球通路ユニット３５０と発射装置４５０の位置関係を示した図であり、同図（ｂ）は、前面枠扉１０６が本体１０４に対して同図（ａ）に示す第一の量よりも小さい第二の量だけ開放されているときの扉側球通路ユニット３５０と発射装置４５０の位置関係を示した図であり、同図（ｃ）は、前面枠扉１０６が本体１０４に対して閉鎖されているときの扉側球通路ユニット３５０と発射装置４５０の位置関係を示した図である。また、図９（ａ）〜（ｃ）は、図８（ａ）〜（ｃ）に示す各々の状態を上方から見た図である。
【００４８】
本体１０４に対して開放されている前面枠扉１０６が閉鎖方向に移動されると、前面枠扉１０６側の扉側球通路ユニット３５０が、本体１０４側の発射装置４５０に徐々に近づき、図８（ａ）、図９（ａ）に示すように、前面枠扉１０６が本体１０４に対して第一の量だけ開放された状態となる。このとき、扉側球通路ユニット３５０のストッパ３５４の操作部３５４ｄは、発射装置４５０から扉側球通路ユニット３５０側に突出形成された突出部４５０ａに接触するが、シャッタ３５４ｄを球通過禁止位置から球通過許可位置までスライドさせることはない。このため、この状態では、扉側球通路ユニット３５０の球通路３５２に残存している遊技球は、球通過禁止位置にあるシャッタ３５４ｄによって移動が規制され、球通路３５２の排出口から排出されることはない。
【００４９】
続いて、前面枠扉１０６がさらに閉鎖方向に移動されると、扉側球通路ユニット３５０が発射装置４５０にさらに近づき、図８（ｂ）、図９（ｂ）に示すように、前面枠扉１０６が、本体１０４に対して図８（ａ）、図９（ａ）に示す第一の量よりも小さい第二の量だけ開放された状態となる。このとき、ストッパ３５４の操作部３５４ｄは、突出部４５０ａからの反力を受けて突出部４５０ａの傾斜面に沿って移動する。このため、シャッタ３５４ｂがバネ３５４ｃの付勢力に逆らって、球通過禁止位置から球通過許可位置に向かってスライドされるとともに、扉側球通路ユニット３５０の球通路３５２と、発射装置４５０の球通路４５０ｂが連通状態（扉側球通路ユニット３５０の球通路３５２から発射装置４５０の球通路４５０ｂに遊技球が移動可能な状態）となる。これにより、扉側球通路ユニット３５０の球通路３５２に残存している遊技球は、前面枠扉１０６が開放状態から閉鎖状態に移動する際に、球通路３５２の排出口から排出不可能な状態から、球通路３５２の排出口から排出されて発射装置４５０の球通路４５０ｂに移動可能な状態に移行する。
【００５０】
続いて、前面枠扉１０６がさらに閉められると、扉側球通路ユニット３５０が発射装置４５０にさらに近づき、図８（ｃ）、図９（ｃ）に示すように、前面枠扉１０６が本体１０４に対して閉鎖された状態となる。このとき、シャッタ３５４ｂは球通路許可位置に移動するため、球通路３５２の排出口から排出された遊技球は、発射装置４５０の球通路４５０ｂに移動可能な状態となる。
【００５１】
＜球排出装置＞
【００５２】
次に、上皿１２６に貯留された球を排出するための球排出装置５００について説明する。図１０は、パチンコ機１００から上皿１２６近傍の部材のみを抜き出した側面図であり、図１１（ａ）、（ｂ）は、図１０においてＡ−Ａ線で示す側断面図である。
【００５３】
球排出装置５００は、上皿１２６に貯留された球技球を、扉側球通路ユニット３５０に排出させるための装置であり、上述の球排出レバー１３２と、この球排出レバー１３２に駆動されて回動可能な棒状の第１レバー５０２と、この第１レバー５０２と扉側球通路ユニット３５０との間に縮設されたバネ５０４と、第１レバー５０２の回動に伴って揺動可能な棒状の第２レバー５０６と、この第２レバー５０６の揺動に伴ってスライド可能な板状のシャッタ５０８と、を有して構成されている。
【００５４】
第１レバー５０２は、支点５０２ａを回動中心として回動可能に構成されるとともに、下端部にギア５０２ｂが形成されている。また、一端が扉側球通路ユニット３５０に固定されたバネ５０４の他端が固定されており、バネ５０４の付勢力によって上方に付勢されて球排出レバー１３２を上方に押し上げるように構成されている。また、第２レバー５０６は、支点５０６ａを回動中心として揺動可能に構成されるとともに、上端部に、第１レバー５０２の第１ギア５０２ｂと噛合可能な第２ギア５０６ｂが形成されている。
【００５５】
シャッタ５０８は、第２レバー５０６の下端部に配設され、球通路３５２内から退出することによって遊技球が球通路３５２を通過することを許可する球通過許可位置（図１１（ａ）に示す位置）と、球通路３５２に形成された開口部３５２ａから球通路３５２内に突出することによって遊技球が球通路３５２を通過することを禁止する球通過禁止位置（図１１（ｂ）に示す位置）との間をスライド可能に構成されている。
【００５６】
図１１（ａ）に示すように、球排出レバー１３２が押下操作により下方に押し下げられると、球排出レバー１３２に当接する第１レバー５０２がバネ５０４の付勢力に逆らって下方に回動され、この第１レバー５０２の駆動力が第１ギア５０２ｂ、第２ギア５０６ｂを介して第２レバー５０６に伝達され、第２レバー５０６が、シャッタ５０８を球通路３５２から退出させる方向に回動され、球通過許可位置に移動する。これにより、上皿１２６から球通路３５２に流入した遊技球は、球通路３５２を真っ直ぐ通過して下皿１２８（図１参照）に排出される。
【００５７】
一方、図１１（ｂ）に示すように、球排出レバー１３２の押下操作が解除されると、第１レバー５０２がバネ５０４の付勢力によって上方に回動され、この第１レバー５０２の駆動力が第１ギア５０２ｂ、第２ギア５０６ｂを介して第２レバー５０６に伝達され、第２レバー５０６が、シャッタ５０８を球通路３５２に突出させる方向に回動され、球通過禁止位置に移動する。これにより、上皿１２６から球通路３５２に流入した遊技球は、シャッタ５０８によって方向が変えられ、球通路３５２の排出口から、発射装置４５０に向けて排出される。
【００５８】
＜扉側球通路ユニットの他の実施形態＞
【００５９】
次に、上述の扉側球通路ユニット３５０の他の実施形態について説明する。図１２（ａ）は、実施形態２に係る扉側球通路ユニット３７０においてシャッタ３７０ｂを閉じた状態を示した外観斜視図であり、同図（ｂ）は同扉側球通路ユニット３７０においてシャッタ３７０ｂを開いた状態を示した外観斜視図である。
【００６０】
本実施形態２に係る扉側球通路ユニット３７０は、ベース部３７０ａに対して垂直方向に回動可能に支持された板状のシャッタ３７０ｂと、ベース部３７０ａとシャッタ３７０ｂとの間に配置されてシャッタ３７０ｂを所定の方向（この例では、反時計回り）に付勢する、ねじりバネ３７０ｃと、第一の部材（例えば、上皿１２６）から第二の部材（例えば、発射装置４５０）に遊技球を案内するための球通路３７０ｄと、を有して構成されている。また、シャッタ３７０ｂの一端部には、短手方向一方に突出された板状の操作部３７０ｅが一体成形されている。
【００６１】
この扉側球通路ユニット３７０は、操作部３７０ｅが操作されていない状態（本体１０４側に配設された本体側部材３７０ｆによって押圧されていない状態）では、ねじりバネ３５２ｃの付勢力によってシャッタ３７０ｂが球通路３７０ｄの排出口の少なくとも一部を塞ぐことによって、球通路３７０ｄから球技球が外部に流出しないように構成されている。一方、操作部３７０ｅが操作されている状態（本体側部材３７０ｆによって押圧されている状態）では、ねじりバネ３７０ｃの付勢力に逆らってシャッタ３７０ｂが反時計回りに回動され、シャッタ３７０ｂが球通路３７０ｄの排出口の前面から退出することによって、遊技球を球通路３７０ｄを通じて第一の部材から第二の部材に案内可能に構成されている。
【００６２】
また、図１３（ａ）は、実施形態３に係る扉側球通路ユニット３８０においてシャッタ３８０ｂを閉じた状態を示した外観斜視図であり、同図（ｂ）は同扉側球通路ユニット３８０においてシャッタ３８０ｂを開いた状態を示した外観斜視図である。また、図１４（ａ）、（ｂ）は、図１３（ａ）、（ｂ）の各々を背面から見た外観斜視図であり、図１５（ａ）、（ｂ）は、図１３（ａ）、（ｂ）の各々の主要部のみを上方から見た部分拡大図である。
【００６３】
本実施形態３に係る扉側球通路ユニット３８０は、ベース部３８０ａに対して水平方向に回動可能に支持された平面視が（平仮名の）くの字形状のレバー３８０ｂと、このレバー３８０ｂに駆動されて水平方向にスライド可能なシャッタ３８０ｃと、第一の部材（例えば、上皿１２６）から第二の部材（例えば、発射装置４５０）に遊技球を案内するための球通路３８０ｄ（図１５参照）と、を有して構成されている。また、シャッタ３８０ｂの一端部には、長手方向一方に突出された板状の操作部３８０ｅが一体成形されている。
【００６４】
この扉側球通路ユニット３８０は、操作部３８０ｅが操作されていない状態（本体１０４側に配設された本体側部材３８０ｆによって押圧されていない状態）では、不図示のねじりバネの付勢力によってレバー３８０ｂが所定の方向（この例では、図の手前側）に回動され、レバー３８０ｂの他端に係止されたシャッタ３８０ｃが球通路３８０ｄの排出口の少なくとも一部を塞ぐことによって、球通路３８０ｄから球技球が外部に流出しないように構成されている。一方、操作部３８０ｅが操作されている状態（本体側部材３８０ｆによって押圧されている状態）では、不図示のねじりバネの付勢力に逆らってレバー３８０ｂが奥側に回動され、レバー３８０ｂの他端に係止されたシャッタ３８０ｃが球通路３８０ｄの排出口の前面から退出することによって、遊技球を球通路３８０ｄを通じて第一の部材から第二の部材に案内可能に構成されている。
【００６５】
＜発射装置＞
【００６６】
次に、上述の発射装置４５０について説明する。図１６は、発射装置４５０の外観斜視図であり、図１７は、発射装置４５０の一部を透過して示す外観斜視図である。また、図１８は、発射装置４５０の分解斜視図である。
【００６７】
＜発射装置の構造＞
【００６８】
発射装置４５０は、板状のベース部４７２と、このベース部４７２に対向配置される箱状のカバー部４７４によって構成されるケース４７０（４７２、４４４）を備え、このケース４７０の内部空間に各種部品が収容される構造となっている。ベース部４７２とカバー部４７４との係合、あるいはその係合の解除は、長手方向にスライド可能な第１操作部４７６と回動可能な第２操作部４７８によって操作される。これらの第１操作部４７６および第２操作部４７８を操作して係合が解除されると、ベース部４７２とカバー部４７４とが開放可能となる。
【００６９】
図１６や図１７に示されるように、カバー部４７４には、上述の扉側球通路ユニット３５０から排出される遊技球をカバー部４７４の内部に案内するための球通路４７４ａが形成されている。この球通路４７４ａに案内された遊技球は、後述する球送りレバー４８８によって所定の位置まで送り出された後、後述する発射槌４８４によって発射装置４００内に形成された球レール４７４ｂに沿って遊技盤２００の遊技領域１２４に向けて打ち出される。
【００７０】
図１８に示すように、ケース４７０（４７２、４４４）の内部空間には、第１操作部４７６を係合方向へと付勢する弾性部材４８０と、第２操作部４７８を係合方向へと付勢する弾性部材４８２と、遊技球を打ち出す発射槌４８４と、発射槌４８４をベース部４７２に回動可能に固定する固定部材４８６と、遊技球を発射槌４８４が打ち出し可能な位置まで送り出す球送りレバー４８８と、球送りレバー４８８が遊技球を送り出した後に所定位置まで戻すよう付勢する弾性部材４９０と、球送りレバー４８８を回動可能に支持する棒状の回転軸４８９と、球送りレバー４８８が収容される球送り部ベース４９２と、発射槌４８４の動作時に球送りレバー４８８を動かすとともに球送りレバー４８８を所定位置に停止させる伝達部材４９４と、を有して構成されている。また、ベース部４７２の外側には、発射槌４８４を駆動する駆動手段４９６（例えば、ソレノイドやモータなど）を取り付けている。
【００７１】
＜発射装置の動作＞
【００７２】
図１９（ａ）は、カバー部４７４を取り除いた状態の発射装置４５０において、発射槌４８４が初期位置にあるときの平面図であり、同図（ｂ）は、カバー部４７４を取り除いた状態の発射装置４５０において、発射槌４８４が作動位置にあるときの平面図である。また、図２０（ａ）は、図１９（ａ）から球送りレバー４８８や球送り部ベース４９２などの部材を取り除いた平面図であり、図２０（ｂ）は、図１９（ｂ）から球送りレバー４８８や球送り部ベース４９２などの部材を取り除いた平面図である。
【００７３】
球送りレバー４８８は、弾性部材４９０によって回転軸４８９を中心として平面視で反時計回りに回動するように付勢されているが、図１９（ａ）や図２０（ａ）に示すように、発射槌４８４が初期位置に移動している場合、発射槌４８４の中央に配設された伝達部材４９４が、球送りレバー４８８に当接して球送りレバー４８８を押圧するように構成されており、球送りレバー４８８は、弾性部材４９０の付勢力に逆らって回転軸４８９を中心として平面視で所定の方向（この例では、時計回り）に回動されている状態となる。
【００７４】
また、球送りレバー４８８には、遊技球を一時的に貯留可能な御椀状の第１凹部４８８ａと第２凹部４８８ｂが隣接して形成されている。発射槌４８４が初期位置に移動している場合、球送りレバー４８８の第１凹部４８８ａと第２凹部４８８ｂには、それぞれ最大で１個の遊技球が貯留可能であることに加えて、第１凹部４８８ａに隣接する球送り部ベース４９２の突出部４９２ａにも最大で１個の遊技球が貯留可能であり、球送りレバー４８８と球送り部ベース４９２で囲まれた空間内には、最大で３個の遊技球が貯留可能である。
【００７５】
一方、図１９（ｂ）や図２０（ｂ）に示すように、モータ４９６によって回転駆動された発射槌４８４が初期位置から作動位置に移動した場合、球送りレバー４８８を時計回りに回動させていた伝達部材４９４が、発射槌４８４の回動に伴って球送りレバー４８８から離反する方向に移動するため、球送りレバー４８８は、弾性部材４９０の付勢力によって回転軸４８９を中心として反時計回りに回動された状態となる。
【００７６】
このように、球送りレバー４８８は、発射槌４８４が、図１９（ａ）や図２０（ａ）に示す初期位置から、図１９（ｂ）や図２０（ｂ）に示す作動位置に移動すると、回転軸４８９を中心として反時計周りに回動するように構成されている。この球送りレバー４８８の反時計周りの回動により、球送りレバー４８８の第２凹部４８８ｂに貯留された遊技球は、球送りレバー４８８の奥側に形成された球通路を通って、図１９（ｂ）に示すように、手前側の球送りレバー４８８から、奥側の球レール４７４ｂへと排出される。
【００７７】
また、このとき、球送りレバー４８８の第１凹部４８８ａに貯留された遊技球は、球送りレバー４８８の傾きが増大することにより、隣接する第２凹部４８８ｂの方向にわずかに送られるが（自重によって移動するが）、球送り部ベース４９２の内壁に形成された第１凸部４９２ｂと、球送りレバー４８８の第１凹部４８８ｂおよび第２凹部４８８ｂを仕切る第１凸部４８８ｃと、に挟まれて移動が規制される。また、球送り部ベース４９２の突出部４９２ａに貯留された遊技球は、第１凹部４８８ａに貯留された遊技球が第２凹部４８８ｂの方向に送られて空間ができることにより、隣接する第１凹部４８８ａの方向に送られるが（自重によって移動するが）、球送り部ベース４９２の内壁に形成された第２凸部４９２ｃと、球送り部ベース４９２の第１凹部４８８ｂの隣に形成された第２凸部４８８ｄと、に挟まれて移動が規制される。
【００７８】
一方、発射槌４８４が、図１９（ｂ）や図２０（ｂ）に示す作動位置から、図１９（ａ）や図２０（ａ）に示す初期位置に移動すると、上述のとおり、伝達部材４９４に押圧された球送りレバー４８８は、回転軸４８９を中心として時計周りに回動するように構成されている。この球送りレバー４８８の時計周りの回動により、球送り部ベース４９２の第１凸部４９２ｂと球送りレバー４８８の第１凸部４８８ｃに挟まれて移動が規制されていた遊技球は、球送りレバー４８８の第２凹部４８８ｂに送られて貯留され、球送り部ベース４９２の第２凸部４９２ｃと、球送りレバー４８８の第２凸部４８８ｄと、に挟まれて移動が規制されていた遊技球は、球送りレバー４８８の第１凹部４８８ａに送られて貯留される。
【００７９】
このように、発射槌４８４の初期位置と作動位置の一方から他方への移動に伴って、移動球送りレバー４８８が反時計周りの回動と時計周りの回動を繰り返すことにより、球送りレバー４８８の第２凹部４８８ｂに貯留されていた遊技球が、球レール４７４ｂに排出され、球送りレバー４８８の第１凹部４８８ａに貯留されていた遊技球が、隣接する第２凹部４８８ｂに移動し、球送り部ベース４９２の突出部４９２ａに貯留された遊技球が、隣接する第１凹部４８８ａに移動することにより、球送り部ベース４９２の突出部４９２ａに新たな遊技球が貯留可能な状態となる。
【００８０】
＜タンクレールと払出装置の係合構造＞
【００８１】
次に、上述のタンクレール１５４と払出装置１５２の係合構造について説明する。図２１は、パチンコ機１００からタンクレール１５４と払出装置１５２だけを抜き出して示した外観斜視図であり、図２２（ａ）は、図２１において符号Ａで示す丸で囲った部分を拡大して示した部分拡大図であり、同図（ｂ）は、（ａ）に示すタンクレールと払出装置を離間した状態においてタンクレールの一部を透過して示す図である。また、図２３は、図２２に示す払出装置１５２から第一カバー部材１５２ａを取り外した状態を示した部分拡大図である。
【００８２】
図２２（ａ）に拡大して示すように、払出装置１５２は、長板状の第一カバー部材１５２ａと略同形状の第二カバー部材１５２ｂを対向配置して構成されている。また、図２３に拡大して示すように、第一カバー部材１５２ａおよび第二カバー部材１５２ｂの内面には、タンクレール１５４から排出される遊技球を払出装置１５２の上方から下方に導くための球レール１５２ａ１、１５２ｂ１（第一カバー部材１５２ａの球レール１５２ａ１は図示省略）が長手方向全域に亘って立設されており、第一カバー部材１５２ａと第二カバー部材１５２ｂが内面を向けて対向配置されて互いの球レール１５２ａ１、１５２ｂ１が当接することで、遊技球が通過する球通路１５２ｃが払出装置１５２の長手方向に沿って形成されている。
【００８３】
また、図２２（ｂ）に拡大して示すように、タンクレール１５４の先端部上方には、タンクレール１５４の短手方向下側に向かって突出し、かつタンクレール１５４の短手方向（図の上下方向）にスライド自在な板状の２つのシャッター１５４ｄが配設されており、各々のシャッター１５４ｄは、タンクレール１５４内に取り付けられた板バネ１５４ｅによって下方向（タンクレール１５４から突出する方向）に付勢されている。また、図２３に拡大して示すように、タンクレール１５４の払出装置１５２側の下部には、タンクレール１５４の長手方向に向かって突出する板状の球受け部材１５４ａが固定されている。この球受け部材１５４ａの先端部には、第一カバー部材１５２ａおよび第二カバー部材１５２ｂの球レール１５２ａ１、１５２ｂ１との間に縮設される２本のバネ１５４ｂの一端が固定されている。
【００８４】
図２４（ａ）は、連通状態のタンクレール１５４と払出装置１５２を示した図であり、同図（ｂ）は、連通状態が解除されたタンクレール１５４と払出装置１５２を示した図である。
【００８５】
同図（ａ）に示すように、タンクレール１５４と払出装置１５２が連通された状態（タンクレール１５４の球通路１５４ｃから払出装置１５２の球通路１５２ｃに遊技球が移動可能な状態）では、タンクレール１５４の球受け部材１５４ａの一部が、第一カバー部材１５２ａおよび第二カバー部材１５２ｂの球レール１５２ａ１、１５２ｂ１の下方に収容されるとともに、球受け部材１５４ａのバネ１５４ｂは、球受け部材１５４ａの先端部と球レール１５２ａ１、１５２ｂ１との間で縮められて第一の長さとなっている。また、シャッター１５４ｄは、払出装置１５２に当接することによって、板バネ１５４ｅの付勢力に逆らって上方向に押圧され、タンクレール１５４の球通路１５４ｃの排出口を塞がない位置まで上昇する。これにより、タンクレール１５４の球通路１５４ｃから遊技球が排出可能な状態となる。
【００８６】
一方、同図（ｂ）に示すように、タンクレール１５４と払出装置１５２の連通状態が解除された状態（タンクレール１５４と払出装置１５２が離間された状態）では、球レール１５２ａ１、１５２ｂ１の下方に収容されていた球受け部材１５４ａが、タンクレール１５４と払出装置１５２の間に形成される隙間に位置（出現）するとともに、バネ１５４ｂは、球受け部材１５４ａの先端部と球レール１５２ａ１、１５２ｂ１との間で、第１の長さよりも長い第２の長さに伸ばされた状態となっている。また、シャッター１５４ｄは、払出装置１５２と離間することによって、板バネ１５４ｅの付勢力によって下方向に押圧され、タンクレール１５４の球通路１５４ｃの排出口の一部を塞ぐ位置（この例では、遊技球の中心位置とほぼ同じ高さ）まで下降する。これにより、タンクレール１５４の球通路１５４ｃから遊技球が排出不可能な状態となる。なお、シャッター１５４ｄは、タンクレール１５４の球通路１５４ｃから遊技球が排出不可能な位置まで下降するように構成されていればよく、例えば、球通路１５４ｃの排出口全体を塞ぐようにしてもよい。
【００８７】
同図（ａ）に示す連通状態では、タンクレール１５４の球通路１５４ｃを通過してタンクレール１５４外部に排出された遊技球は、（球レール１５２ａ１、１５２ｂ１の下方に収容されている球受け部材１５４ａに接触することなく）払出通路１５２の球レール１５２ａ１、１５２ｂ１上を転動し、払出通路１５２の球通路１５２ｃを通過して払出装置１５２の下方に案内される。なお、タンクレール１５４の球通路１５４ｃは、払出装置１５２側に向かって徐々に下降する傾斜面とされており、球通路１５４ｃ上の遊技球は重力によってタンクレール１５４の排出口に向かって自然に転動するように構成されている。
【００８８】
一方、同図（ｂ）に示す連通状態が解除された状態では、タンクレール１５４の球通路１５４ｃに残存している遊技球は、シャッター１５４ｄによって排出が防止され、タンクレール１５４の球通路１５４ｃに留まるが、シャッター１５４ｄを通過してタンクレール１５４の排出口から外部に排出された遊技球は、球受け部材１５４ａ上に保持される。
【００８９】
このような構成とすれば、タンクレール１５４や払出装置１５２に遊技球が残存した状態でタンクレール１５４と払出装置１５２の連通が解除されても、球受け部材１５４ａによってタンクレール１５４と払出装置１５２の外に流出した遊技球を一時的に保持することが可能となる。このため、残存している遊技球がタンクレール１５４や払出装置１５２の外に流出したりタンクレール１５４と払出装置１５２から落下したりするような事態を防止することができ、タンクレール１５４と払出装置１５２のメンテナンス作業（例えば、清掃や部品交換）を行う場合に、従来よりもメンテナンス性を高めることができる場合がある。しかも、タンクレール１５４の球通路１５４ｃの排出口を塞ぐように構成されたシャッタ−１５４ｄを備えているため、タンクレール１５４に残存した遊技球が外部に流出することもない。
【００９０】
＜払出通路ユニットと排出口ユニットの係合構造＞
【００９１】
次に、上述の払出通路ユニット３００と排出口ユニット４００の係合構造について説明する。図２５は、パチンコ機１００の前面枠扉１０６を開放してパチンコ機１００の内部構造を示した外観斜視図であり、図２６（ａ）は、図２５において符号Ｂで示す丸で囲った部分を拡大して示した部分拡大図であり、同図（ｂ）は、同図（ａ）に示す払出通路ユニット３００と排出口ユニット４００をさらに拡大して示した部分拡大図である。
【００９２】
本体１０４の前面側には、上述の払出装置１５２と、この払出装置１５２の球通路１５２ｃに連通可能な払出通路ユニット３００が取り付けられ、前面枠扉１０６の背面側には、前面枠扉１０６を閉鎖したときに一方側が本体１０４側の払出通路ユニット３００と連通可能で、かつ他方側が上皿１２６に連通された、排出口ユニット４００が取り付けられている。すなわち、払出装置１５２から排出された遊技球は、払出通路ユニット３００と排出口ユニット４００を通過して本体１０４側から前面枠扉１０６側に移動し、上皿１２６に到達して上皿１２６に貯留されるように構成されている。
【００９３】
図２６（ｂ）に拡大して示すように、払出通路ユニット３００は、本体１０４の背面側から前面側に向かって延びる複数（この例では２つ）の筒状の球通路３０２ａ、３０２ｂを有して構成され、これらの球通路３０２ａ、３０２ｂの排出口近傍には、前面枠扉１０６の開放に連動して排出口の一部を塞ぎ、遊技球が球通路３０２ａ、３０２ｂの排出口から流出することを防ぐための板状のシャッター３０４が設けられている。なお、払出通路ユニット３００の球通路３０２ａ、３０２ｂは、排出口ユニット４００側に向かって徐々に下降する傾斜面とされており、球通路３０２ａ、３０２ｂ上の遊技球は重力によって払出通路ユニット３００の排出口に向かって自然に転動するように構成されている。
【００９４】
一方、排出口ユニット４００は、払出通路ユニット３００の球通路３０２ａに連通可能な筒状の球通路４０２を有して構成され、下方には、板状のスライダ４０４（詳細は後述）を備えている。なお、排出口ユニット４００の球通路４０２は、上皿１２６側に向かって徐々に下降する傾斜面とされており、球通路４０２上の遊技球は重力によって排出口ユニット４００の排出口に向かって自然に転動するように構成されている。
【００９５】
なお、シャッター３０４は、球通路３０２ａ、３０２ｂの排出口の一部を塞ぐように構成されていればよいが、遊技球の排出を確実に防止するためには排出口を通過する遊技球の中心位置よりも高い位置まで上昇するように構成されていることが好ましく、さらには、排出口全てを塞ぐように構成されていることがより好ましい。また、本実施形態では、球通路３０２ａ、３０２ｂを円滑に通過させるとともに排出口から球を確実に排出させるために、球通路３０２ａ、３０２ｂの短手方向の最大幅を、球２個分の直径の長さよりも長く、球３個分の直径の長さよりも短く設定し、球が排出口から２個ずつ排出されるように構成している。
【００９６】
＜排出口ユニットの構造＞
【００９７】
次に、上述の排出口ユニット４００の構造について説明する。図２７は、排出口ユニット４００の分解斜視図であり、図２８（ａ）は、スライダ４０４が収容されているときの排出口ユニット４００の外観斜視図であり、同図（ｂ）は、スライダ４０４が突出しているときの排出口ユニット４００の外観斜視図である。また、図２９（ａ）は、図２８（ａ）に示す排出口ユニット４００を裏から見た外観斜視図であり、図２９（ｂ）は、図２８（ｂ）に示す排出口ユニット４００を裏から外観斜視図である。また、図３０（ａ）は、スライダ４０４がベース４０８の外側に最大量突出しているときの排出口ユニット４００の外観斜視図である。
【００９８】
排出口ユニット４００は、上皿１２６に連通される球通路４０２および下皿１２８に連通される下皿球通路４１４を有するベース４０８と、このベース４０８の上部を覆うよう取り付けられる板状のカバー４１０と、ベース４０８に対してネジ４１０の軸心Ｏ１（図３０参照）を中心として回動可能に配設されるスライダ４０４と、ベース４０８に設けたバネ止め４１２とスライダ４０４との間に縮設され、スライダ４０４がベース４０８から突出する方向に付勢するスライダバネ４０６と、を有して構成されている。また、図２８（ｂ）および図３０（ａ）に示すように、球通路４０２には、スライダ４０４上に保持された遊技球を排出口ユニット４００の球通路４０２に導き易くするためにスライダ４０４側から球通路４０２側に向かって下降する傾斜面とされた傾斜部４０２ａが形成されている。
【００９９】
また、図２７および図２８（ａ）に示すように、スライダ４０４は、平面状のベース部４０４ａと、このベース部４０４ａの長手方向一端側に形成されたバネ止め４０４ｂと、ベース部４０４ａの長手方向他端側に突出形成された第１突出部４０４ｃと、ベース部４０４ａの短手方向一端側に突出形成され第２突出部４０４ｄと、を有して構成されている。第１突出部４０４ｃは、図２８（ａ）に示すように、スライダ４０４が収容されているときは、球通路４０２と下皿球通路４１４との仕切り壁の一部として機能し、図３０（ａ）に示すように、スライダ４０４が最大量突出しているときは、ベース部４０４ａ上に保持された遊技球がベース部４０４ａから落下しないように防止する保持部材としても機能する。
【０１００】
また、図３０（ａ）に示すように、第１突出部４０４ｃの最大高さｈ１と第２突出部４０４ｄの最大高さｈ２は、ベース部４０４ａ上に保持された遊技球の落下を防止すべく、遊技球の中心位置よりも高くなるような高さに設定されているとともに、第１突出部４０４ｃの最大高さｈ１は、スライダ４０４が軸心Ｏ１を中心に回動したときに遊技球が遠心力によって落下しないように、第２突出部４０４ｄの最大高さｈ２よりも高く設定されている（ｈ１＞ｈ２）。
【０１０１】
図３０（ｂ）は、図３０（ａ）の状態においてスライダ４０４近傍だけを抜き出して上方から見た図である。スライダ４０４が最大量突出した状態では、スライダ４０４のベース部４０４ａ上に遊技球を最大２個保持することが可能となっている。また、スライダ４０４ａは軸心Ｏ１を中心として回動する構造とされているため、軸心Ｏ１から遠い側の遊技球は遠心力による影響を受けやすくベース部４０４ａから外に流出しやすいが、第１突出部４０４ｃの存在により、遊技球の流出が防止されている。また、前面枠扉１０６を開放することによってスライダ４０４が本体１０４から離間された場合、ベース部４０４ａに保持されている遊技球は、本体１０４側に向かうため、ベース部４０４ａから外に流出しやすいが、第２突出部４０４ｄの存在により、遊技球の本体１０４側への流出が防止されている。
【０１０２】
さらに、払出通路ユニット３００や排出口ユニット４００のメンテナンスを行う場合、作業者は前面枠扉１０６を開放してメンテナンス作業を行うことになるが、スライダ４０４は軸心Ｏ１（前面枠扉１０６のヒンジ部１１２と同じ軸心）を中心に回動する構造とされており、スライダ４０４の突出量は、軸心Ｏ１に近い側の端部の距離ｈ４よりも軸心Ｏ１に遠い側の端部の距離ｈ３が長いため、作業者からは、ベース部４０４ａに保持された遊技球や払出通路ユニット３００に残存する遊技球が確認しやすく、メンテナンス性が高められている。
【０１０３】
＜排出口ユニットの動き＞
【０１０４】
次に、図３１および図３２を併せて参照して、上述の排出口ユニット４００の動きについて説明する。なお、図３１（ａ）は、前面枠扉１０６を完全に閉鎖したときの排出口ユニット４００の様子をパチンコ機１００上方から見た図であり、同図（ｂ）は、同図（ａ）に示す状態から前面枠扉１０６を少量だけ開放したときの排出口ユニット４００の様子を示した図であり、同図（ｃ）は、同図（ｂ）に示す状態から前面枠扉１０６をさらに少量だけ開放したときの排出口ユニット４００の様子を示した図である。また、図３２（ａ）〜（ｃ）は、図３１（ａ）〜（ｃ）に示す様子をパチンコ機１００側方から見た図である。
【０１０５】
図３１（ａ）および図３２（ａ）に示すように、前面枠扉１０６が閉鎖された状態では、排出口ユニット４００と払出通路ユニット３００が当接され、排出口ユニット４００の球通路４０２と払出通路ユニット３００の球通路３０２ａが連通状態（払出通路ユニット３００の球通路３０２ａから排出口ユニット４００の球通路４０２に遊技球が移動可能な状態）となる。このとき、スライダ４０４は、スライダバネ４０６によって、ベース４０８の下方から外側に突出する方向に付勢されているが、払出通路ユニット３００によって突出方向への移動が規制されるため、突出することができず、図２８（ａ）や図２９（ａ）に示すように、ベース４０８の下方に収容された状態となる。
【０１０６】
次に、図３１（ａ）および図３２（ａ）から図３１（ｂ）および図３２（ｂ）に示す状態まで前面枠扉１０６が開放された場合には、前面枠扉１０６の回動とともに、上述のシャッター３０４が徐々に上昇し、払出通路ユニット３００の球通路３０２ａの排出口の一部が塞がれる。これにより、払出通路ユニット３００の球通路３０２ａに残存している球は、球通路３０２ａに貯留される。また、前面枠扉１０６の回動とともに、払出口ユニット４００のベース４０８およびカバー４１０は、払出通路ユニット３００から遠ざかる方向に回動され、排出口ユニット４００の球通路４０２と払出通路ユニット３００の球通路３０２ａが離間される。このとき、スライダ４０４は、スライダバネ４０６によって、ベース４０８の下方から外側に突出する方向に付勢されているため、ベース４０８とカバー４１０だけがスライダ４０４を残す形で回動され、図２８（ｂ）や図２９（ｂ）に示すように、スライダ４０４はベース４０８の下方から外側に突出した状態となる。これにより、ベース４０８およびカバー４１０は払出通路ユニット３００の球通路３０２ａから離間するが、スライダ４０４が払出通路ユニット３００の球通路３０２ａに連通された状態が継続する。したがって、払出通路ユニット３００の球通路３０２ａを通過している遊技球が、たとえシャッター３０４を乗り越えて外部に流出したとしても、遊技球をスライダ４０４によって保持することが可能である。
【０１０７】
このような構成とすれば、払出通路ユニット３００の球通路３０２や排出口ユニット４００の球通路４０２に遊技球が残存した状態で払出通路ユニット３００の球通路３０２と排出口ユニット４００の球通路４０２が解除されても、スライダ４０４によって払出通路ユニット３００の球通路３０２や排出口ユニット４００の球通路４０２の外に流出した遊技球を一時的に保持することが可能となる。このため、残存している遊技球が払出通路ユニット３００の球通路３０２や排出口ユニット４００の球通路４０２の外に流出したり払出通路ユニット３００の球通路３０２や排出口ユニット４００の球通路４０２から落下したりするような事態を防止することができ、払出通路ユニット３００の球通路３０２や排出口ユニット４００の球通路４０２のメンテナンス作業（例えば、清掃や部品交換）を行う場合に、従来よりもメンテナンス性を高めることができる場合がある。
【０１０８】
次に、図３１（ｂ）および図３２（ｂ）から図３１（ｃ）および図３２（ｃ）に示す状態まで前面枠扉１０６が開放された場合には、前面枠扉１０６の回動とともに、払出口ユニット４００のベース４０８およびカバー４１０は、払出通路ユニット３００からさらに遠ざかる方向に回動され、排出口ユニット４００の球通路４０２と払出通路ユニット３００の球通路３０２ａがさらに離間される。このとき、スライダ４０４は、スライダバネ４０６によって、ベース４０８の下方から外側に突出する方向に付勢されているため、ベース４０８とカバー４１０だけがスライダ４０４を残す形で回動され、スライダ４０４は、最終的に、図３０（ａ）に示すように、ベース４０８の下方から外側に最大量突出した状態となり、より多くの遊技球を保持することが可能となる。また、払出通路ユニット３００の球通路３０２と排出口ユニット４００の球通路４０２が所定の距離を超えて離反されても、第１突出部４０４ｃ、第２突出部４０４ｄを備えることによって、スライダ４０４に保持された遊技球がスライダ４０４の外に流出したり、スライダ４０４から落下したりするような事態を防ぐことができる場合がある。
【０１０９】
＜実施形態２＞
【０１１０】
次に、実施形態２に係る排出口ユニット５００について説明する。なお、以降、上記実施形態１に係るパチンコ機１００と同一の構成については同一の符号を付し、その説明は省略する。
【０１１１】
図３３（ａ）は、実施形態２に係るスライダ５０４が収容されているときの排出口ユニット５００の外観斜視図であり、同図（ｂ）は、スライダ５０４が突出しているときの排出口ユニット５００の外観斜視図である。また、図３４（ａ）は、図３３（ａ）に示す排出口ユニット５００を裏から見た外観斜視図であり、図３４（ｂ）は、図３３（ｂ）に示す排出口ユニット５００を裏から外観斜視図である。
【０１１２】
排出口ユニット５００は、上記実施形態１に係るスライダ４０４と、コイルバネによって構成されるスライダバネ４０６に替えて、スライダ５０４と、ねじりバネによって構成されるスライダバネ５０６を備えている。スライダ５０４は、スライダバネ５０６によって、ベース４０８の下方から外側に突出する方向に付勢されているが、上述のとおり、前面枠扉１０６が閉鎖された状態では、払出通路ユニット３００によって突出方向への移動が規制され、図３３（ａ）や図３４（ａ）に示すように、ベース４０８の下方に収容された状態となる。
【０１１３】
一方、前面枠扉１０６が開放された状態では、上述のとおり、排出口ユニット５００と払出通路ユニット３００が離間されるとともに、スライダ５０４は、スライダバネ５０６によってベース４０８の下方から外側に突出する方向に付勢されているため、ベース４０８とカバー４１０だけがスライダ５０４を残して回動され、図３３（ｂ）や図３４（ｂ）に示すように、スライダ５０４はベース４０８の下方から外側に突出した状態となる。
【０１１４】
このような構成とすれば、上記実施形態１に係る排出口ユニット４００に比べ、省スペース化を図ることができ、配置場所のバリエーションを増やすことができる場合がある。
【０１１５】
＜実施形態３＞
【０１１６】
次に、実施形態３に係る排出口ユニット５５０について説明する。図３５（ａ）は、実施形態３に係るスライダ５５４が収容されているときの排出口ユニット５５０の外観斜視図であり、同図（ｂ）は、スライダ５５４が突出しているときの排出口ユニット５５０の外観斜視図である。また、図３６（ａ）は、図３５（ａ）に示す排出口ユニット５５０を裏から見た外観斜視図であり、図３６（ｂ）は、図３５（ｂ）に示す排出口ユニット５５０を裏から外観斜視図である。
【０１１７】
排出口ユニット５５０は、上記実施形態１に係るスライダ４０４とスライダバネ４０６に替えて、スライダ５５４を備えている。スライダ５５４は、払出通路ユニット３００の方向にスライド可能に構成されているとともに、スライダ５５４の先端には、払出通路ユニット３００に形成された係止部（図示省略）に係止される係止部５５４ａが形成されている。本実施形態３では、スライダ５５４は、前面枠扉１０６が閉鎖された状態では、図３５（ａ）や図３６（ａ）に示すように、ベース５５８の下方に収容された状態となり、前面枠扉１０６が開放された状態では、係止部５５４ａが払出通路ユニット３００の係止部に係止されてスライダ５５４が外部に引き出され、図３５（ｂ）や図３６（ｂ）に示すように、ベース５５８の下方から外側に突出した状態となる。
【０１１８】
このような構成とすれば、上記実施形態１に係る排出口ユニット４００に比べ、部品点数の削減や低コスト化が図れる場合がある。また、スライダ５５４が直線的にスライドされるため、払出通路ユニット３００から溢れた球を保持するためのスペースを広く取ることができ、上記実施形態１に係る排出口ユニット４００に比べ、多くの球を保持できる場合がある。なお、ここでは、スライダ５４４の係止部５５４を他の部材に係止させることによってスライダ５４４をスライドさせる例を示したが、上記実施形態のように、弾性体（バネ）を用いてスライドさせる構成を採用してもよい。
【０１１９】
＜実施形態４＞
【０１２０】
次に、実施形態４に係る排出口ユニット６００について説明する。図３７（ａ）は、実施形態４に係るスライダ６０４が収容されているときの排出口ユニット６００の外観斜視図であり、同図（ｂ）は、スライダ６０４が突出しているときの排出口ユニット６００の外観斜視図である。また、図３８（ａ）は、図３７（ａ）に示す排出口ユニット６００を裏から見た外観斜視図であり、図３８（ｂ）は、図３７（ｂ）に示す排出口ユニット６００を裏から外観斜視図である。
【０１２１】
排出口ユニット６００は、上記実施形態１に係るスライダ４０４とスライダバネ４０６に替えて、上下方向に回動可能なスライダ６０４を備えている。スライダ６０４は、図示しない回転軸を中心としてスライダ６０４の厚み方向に回動可能に構成されているとともに、スライダ６０４の先端には、球の落下を防止するための突出部６０４ａが形成されている。本実施形態４では、スライダ６０４は、前面枠扉１０６が閉鎖された状態では、図３７（ａ）や図３８（ａ）に示すように、下方向に回動され、ベース５０８の下方に収容された状態となり、前面枠扉１０６が開放された状態では、回転軸に設けられた図示しない弾性体（バネ）の付勢力によって上方向に回動され、図３７（ｂ）や図３８（ｂ）に示すように、ベース６０８の下方から外側に突出した状態となる。
【０１２２】
このような構成とすれば、上記実施形態１に係る排出口ユニット４００に比べ、省スペース化を図ることができ、配置場所のバリエーションを増やすことができる場合がある。
【０１２３】
＜本発明の基本思想＞
【０１２４】
次に、図３９〜図４１を用いて、本発明の基本思想について説明する。なお、図３９（ａ）は、扉体Ｄが本体に対して第一の量だけ開放されているときの扉側通路Ｄ１と球送装置Ｂの位置関係を示した図であり、同図（ｂ）は、同図（ａ）に示す状態を上方から見た図である。また、図４０（ａ）は、扉体Ｄが本体に対して図３９（ａ）に示す第一の量よりも小さい第二の量だけ開放されているときの扉側通路Ｄ１と球送装置Ｂの位置関係を示した図であり、同図（ｂ）は、同図（ａ）に示す状態を上方から見た図である。また、図４１（ａ）は、扉体Ｄが本体に対して閉鎖されているときの扉側通路Ｄ１と球送装置Ｂの位置関係を示した図であり、同図（ｂ）は、同図（ａ）に示す状態を上方から見た図である。
【０１２５】
扉体Ｄは、本体に取付可能な扉体であり、例えば、上述の前面枠扉１０６が該当する。また、扉側通路Ｄ１は、扉体Ｄに設けられた扉側通路であり、例えば、上述の扉側球通路ユニット３５０が該当し、球送装置Ｂは、遊技球を発射位置側へ移動させる球送装置であり、例えば、上述の発射装置４５０が該当する。
【０１２６】
本発明に係る遊技台では、図４１に示すように、扉体Ｄが閉鎖されている場合に、該扉体Ｄに設けられた扉側通路Ｄ１の遊技球が球送装置Ｂ側に供給されるように構成される。また、図３９、図４０に示すように、扉体Ｄが開放されている場合に、所定の部材Ｐによって、扉側通路Ｄ１の遊技球を球送装置Ｂ側に供給されることが防止されている。
【０１２７】
また、所定の部材Ｐは、該所定の部材Ｐを開閉可能な操作部Ｐ１を備え、球送装置Ｂは、扉体Ｄ側に突出し、かつ該球送装置Ｂに固定された係合部Ｂ１を備える。そして、図４１に示すように、扉体Ｄが閉鎖された場合に、操作部Ｐ１と係合部Ｂ１が当接し、所定の部材Ｐが所定の位置まで移動することにより、扉側通路Ｄ１の遊技球を球送装置Ｂ側に供給可能である。
【０１２８】
従来の遊技台では、メンテナンス作業などで複数の通路の連通状態を解除した場合に、通路に残存している遊技球が通路の外に流出してしまうことがあり、メンテナンス性が悪いといった問題点があった。
【０１２９】
本発明は、このような従来の問題点を解決するためになされたものであって、従来よりもメンテナンス性を向上させることができる遊技台を提供することを目的とする。
【０１３０】
本発明に係る遊技台によれば、従来よりもメンテナンス性を向上させることができる。
【０１３１】
以上説明したように、上記実施形態に係るパチンコ機１００は、本体（例えば、本体１０４）と、前記本体に取付可能な扉体（例えば、前面枠扉１０６）と、を備えた遊技台であって、前記扉体は、遊技球が通過可能な球通路（例えば、球通路３５２）が少なくとも設けられており、前記本体は、発射手段（例えば、発射槌４８４、ベース部４７２および球レール４７４ｂ、または発射装置４５０）が少なくとも設けられており、前記発射手段は、発射位置（例えば、図２０（ｂ）に示す遊技球の位置）の遊技球を少なくとも発射可能なものであり、前記本体は、保持手段（例えば、球送手段（ケース４７４の一部（図１７の球送りレバー４８８が収納される突出部分）、球送りベース４９２および球送りレバー４８８）および発射装置４５０）が少なくとも設けられたものであり、前記保持手段は、前記球通路を通過した遊技球を少なくとも保持可能なものであり、前記保持手段は、前記球通路と前記発射位置の間に設けられているものである、ことを特徴とする遊技台である。
【０１３２】
このような構成とすることにより、扉を開放した場合でも本体側に遊技球を保持することが可能なので、例えばメンテナンス後などに扉を閉鎖した後に、直ちに遊技球を発射位置側へ移動させて、遊技への復帰をしやすくすることができる場合がある。
【０１３３】
また、前記本体は、前記球通路（以下、「第一の球通路」という）とは別の第二の球通路（例えば、球通路４５０ｂ）が設けられたものであり、前記第二の球通路は、前記第一の球通路（例えば、球通路３５２）を通過した遊技球が少なくとも通過可能なものであり、前記保持手段（例えば、球送手段（ケース４７４の一部（図１７の球送りレバー４８８が収納される突出部分）、球送りベース４９２および球送りレバー４８８）および発射装置４５０）は、前記第二の球通路と前記発射位置（例えば、図２０（ｂ）に示す遊技球の位置）の間に設けられているものである、ものとしてもよい。
【０１３４】
このような構成とすることにより、扉を開放した場合でも本体側に遊技球を保持することが可能なので、例えばメンテナンス後などに扉を閉鎖した後に、直ちに遊技球を発射位置側へ移動させて、遊技への復帰をしやすくすることができる場合がある。
【０１３５】
また、前記保持手段（例えば、球送手段（ケース４７４の一部（図１７の球送りレバー４８８が収納される突出部分）、球送りベース４９２および球送りレバー４８８）および発射装置４５０）は、複数の遊技球を保持可能である、ものとしてもよい。
【０１３６】
このような構成とすることにより、扉を開放した場合でも本体側に複数の遊技球を保持することが可能なので、扉を閉鎖した後に、直ちに遊技球を発射位置側へ移動させて、遊技球が途切れること防いで遊技への復帰をしやすくすることができる場合がある。
【０１３７】
また、前記保持手段は、球送手段（例えば、ケース４７４の一部（突出部分）、球送りベース４９２および球送りレバー４８８）であり、前記球送手段は、遊技球を前記発射位置（例えば、図２０（ｂ）に示す遊技球の位置）へ少なくとも移動可能なものである、ものとしてもよい。
【０１３８】
このような構成とすることにより、扉を開放した場合でも本体側に遊技球を保持することが可能なので、メンテナンス後など扉を閉鎖した後に遊技球をスムーズに発射位置側へ移動させ、遊技への復帰をスムーズに行うことができる場合がある。
【０１３９】
また、前記扉体（例えば、前面枠扉１０６）は、遊技者が少なくとも操作可能な位置に操作手段（例えば、球排出レバー１３２）が設けられたものであり、前記扉体は、遊技球が貯留可能な球貯留皿（例えば、上皿１２６、下皿１２８）が少なくとも設けられたものであり、前記操作手段は、該操作手段が操作された場合に、前記球通路の遊技球を前記球貯留皿へ誘導可能なものであり、前記操作手段は、前記扉体が開放された場合であっても、前記球通路（例えば、球通路３５２）の遊技球を前記球貯留皿へ少なくとも誘導可能なものである、ものとしてもよい。
【０１４０】
このような構成とすることにより、扉体が開放中であっても、遊技球を球貯留皿に排出することができる場合がある。
【０１４１】
また、前記保持手段（例えば、球送手段（ケース４７４の一部（図１７の球送りレバー４８８が収納される突出部分）、球送りベース４９２および球送りレバー４８８）および発射装置４５０）は、前記球通路（例えば、球通路３５２）を通過した遊技球が待機可能な待機位置（例えば、球通路４５０ｂ、球送り部ベース４９２の突出部４９２ａ）が設けられたものであり、前記保持手段は、前記待機位置よりも下流に遊技球を少なくとも保持可能なものである、ものとしてもよい。
【０１４２】
球送手段と扉側の通路が直接連結されていると、扉開放時に球送手段に保持されている遊技球しか保持することができないが、扉側通路と球送手段の間に待機位置を設けることにより、次に球送手段へ送られる遊技球を待機させることができ、メンテナンス後はよりスムーズに遊技へ復帰させることができる場合がある。
【０１４３】
また、前記扉体（例えば、前面枠扉１０６）は、遊技球を前記球通路（例えば、球通路３５２）へ誘導可能な上皿（例えば、上皿１２６）が設けられたものであり、前記扉体は、前記上皿よりも下側に下皿が設けられたものであり、前記球貯留皿は、前記下皿である、ものとしてもよい。
【０１４４】
このような構成とすることにより、上皿１２６から球通路３５２に流入した遊技球は、球通路３５２を真っ直ぐ通過して下皿１２８（図１参照）に排出される経路において、扉を開放した場合でも本体側に遊技球を保持することが可能なので、例えばメンテナンス後などに扉を閉鎖した後に、直ちに遊技球を発射位置側へ移動させて、遊技への復帰をしやすくすることができる場合がある。
【０１４５】
また、上記実施形態に係るパチンコ機１００は、本体（例えば、本体１０４）と、前記本体に取付可能な扉体（例えば、前面枠扉１０６）と、を備えた遊技台であって、前記本体は、該本体から取り外し可能な発射手段（例えば、発射装置４５０）が少なくとも設けられたものであり、前記発射手段は、遊技球を発射位置側へ移動させる球送手段（例えば、球送装置Ｂ、球送りレバー４８８など）が少なくとも設けられたものであり、前記発射手段は、遊技球を遊技領域に向けて発射する発射槌（例えば、発射槌４８４）が少なくとも設けられたものであり、前記扉体は、第一の部品（例えば、シャッタ３５４ｂ）が少なくとも設けられたものであり、前記扉体は、遊技球を貯留可能な球貯留皿（例えば、下皿１２８）が少なくとも設けられたものであり、前記第一の部品は、該第一の部品に設けられた第一の操作部（例えば、操作部３５４ｄ）が操作された場合に、第一の位置（例えば、球通過禁止位置）から第二の位置（例えば、球通過許可位置）へ少なくとも移動可能なものであり、前記球送手段は、当接部（例えば、係合部Ｂ１、突出部４５０ａ）が少なくとも設けられたものであり、前記当接部は、前記扉体側に少なくとも突出したものであり、前記当接部は、前記第一の操作部が有する傾斜面と相補的形状である傾斜面を少なくとも有するものであり、前記扉体は、第一の通路が少なくとも設けられたものであり、前記扉体は、第二の通路が少なくとも設けられたものであり、前記扉体は、前記第一の通路から前記第二の通路に遊技球を排出させる第二の操作部が少なくとも設けられたものであり、
【０１４６】
前記扉体は、前記第二の操作部が操作された場合に、前記第一の通路と前記第二の通路を連通状態にさせる第二の部品（例えば、球排出レバー１３２）が少なくとも設けられたものであり、前記第一の通路は、前記扉体が少なくとも閉鎖されている場合に、遊技球を前記球送手段側に少なくとも供給可能な通路であり、前記第二の通路は、遊技球を前記第一の通路から前記球貯留皿へ少なくとも排出させる通路であり、前記第二の通路は、前記第二の部品よりも下流側に設けられた通路であり、前記当接部は、前記扉体が少なくとも閉鎖されている場合に、前記第一の操作部と少なくとも当接するものであり、前記第一の部品は、前記扉体が少なくとも閉鎖されている場合に、前記第二の位置に少なくとも配置されているものであり、前記第一の部品は、前記扉体が少なくとも開放された場合に、前記第二の位置から前記第一の位置へ少なくとも移動可能なものであり、前記第一の位置は、前記第一の通路の遊技球を前記球送手段側へ供給することを少なくとも阻止可能な位置であり、前記第二の位置は、前記第一の通路の遊技球を前記球送手段側へ少なくとも供給可能な位置であり、前記第一の通路と第二の通路は、前記第一の部品が前記第一の位置に配置されている状態で前記第二の操作部が操作されることにより、少なくとも連通可能なものである、ものとしてもよい。
【０１４７】
このような構成とすることにより、メンテナンス後に遊技球をスムーズに発射位置側へ移動させ、遊技への復帰をスムーズに行うことができる場合がある。また、扉側通路に残った遊技球を通路外に流出させることなく、確実に第二の通路へ排出させることができる場合がある。また、前記所定の部材を備えることなく、前記扉体が開放されている場合に、前記扉側通路の遊技球を前記球送装置側に供給されることが防止されていれば、部品点数を減らすことができる上に、本体側に遊技球を保持することが可能なので、メンテナンス後に遊技球をスムーズに発射位置へ移動させ、遊技への復帰をスムーズに行うことができる場合がある。また、前記扉を開放する場合に、上述の払出通路ユニット３００と排出口ユニット４００との連通状態が解除されるよりも前に、前記扉側通路と前記球送装置との連通状態が解除されるように構成すれば、扉を開放した場合に、球送装置へ送られる遊技球を先に遮断することができるため、不正行為を防止できる場合がある。また、払い出し通路が連通している間は、扉が開放していても払い出しだけは行われるので、遊技者の不安を解消できる場合がある。また、前記排出操作部と前記第二の部材が前記扉側に設けられ、前記第二の部材によって前記第二の通路への遊技球の供給が不可能な状態を解除する第三の部材が前記本体側に設けられていれば、店員の目の届きにくい扉が開放されている間は、ドル箱に遊技球を入れにくくなるので、不正に払い出された遊技球を入れるなどの不正行為を防ぐことができる場合がある。
【０１４８】
また、前記扉体（例えば、前面枠扉１０６）は、遊技球を前記第一の通路へ誘導可能な上皿（例えば、上皿１２６）が設けられたものであり、前記扉体は、前記上皿よりも下側に下皿（例えば、下皿１２８）が設けられたものであり、前記球貯留皿は、前記下皿である、ものとしてもよい。
【０１４９】
また、前記第一の部品（例えば、シャッタ３５４ｂ）は、横方向にスライドさせることで前記第一の位置から前記第二の位置に少なくとも移動可能なものであり、前記横方向は、前記扉体の回動方向に対して垂直方向である、ものとしてもよい。
【０１５０】
このような構成にすることにより、操作部に加わる力が分散され、必要以上の力が操作部に加わることを防止できる場合がある。
【０１５１】
また、前記第一の操作部は、第一の傾斜面を有するものであり、前記当接部は、第二の傾斜面を有するものであり、前記当接部は、第三の傾斜面を有するものであり、前記第二の傾斜面は、突出方向に対して傾斜するものであり、前記第三の傾斜面は、突出方向に対して傾斜するものであり、前記第二の傾斜面は、前記第一の傾斜面と当接可能なものであり、前記第三の傾斜面は、前記第一の傾斜面と当接可能なものであり、前記第三の傾斜面は、前記第二の傾斜面よりも小さい傾斜角を有するものである、ものとしてもよい。
【０１５２】
このような構成とすることにより、操作部の傾斜面と接触する係合部の傾斜面を第二の傾斜面と、当該第二の傾斜面より傾斜角の小さい第三の傾斜面で構成することにより操作部との接触面積を少なくできるため、引っ掛かりを防ぎ、よりスムーズに操作部を移動させることができる場合がある。
【０１５３】
また、前記相補的形状とは、前記第一の操作部が有する傾斜面の傾斜と当接可能に対向する傾斜を示すものである、ものとしてもよい。
また、上記実施形態に係る遊技台（例えば、パチンコ機１００）は、本体（例えば、本体１０４）と、前記本体に取付可能な扉体（例えば、前面枠扉１０６、扉体Ｄ）と、を備えた遊技台であって、前記扉体は、第一の球通路（例えば、球通路３５２）が設けられたものであり、前記扉体は、第三の球通路（例えば、図１１（ａ）に示す球通路３５２のシャッタ５０８よりも下の通路）が設けられたものであり、前記扉体は、操作手段（例えば、球排出レバー１３２）が設けられたものであり、前記扉体は、上皿（例えば、上皿１２６）が設けられたものであり、前記扉体は、下皿（例えば、下皿１２８）が設けられたものであり、前記扉体は、排出口（例えば、図１１（ａ）に示す球通路３５２のシャッタ５０８よりも下の通路の直下の下皿１２８との連通部分）が設けられたものであり、前記本体は、発射手段（例えば、発射槌４８４およびベース部４７２および球レール４７４ｂ、発射装置４５０）が設けられたものであり、前記発射手段とは、発射位置にある遊技球を発射可能な手段であり、前記本体は、球送手段（例えば、ケース４７４の一部（図１７の球送りレバー４８８が収納される突出部分）、球送装置Ｂ、球送りレバー４８８、球送りベース４９２）が設けられたものであり、前記本体は、第二の球通路（例えば、球通路４７４ａ）が設けられたものであり、前記第三の球通路を通過した遊技球が前記排出口から排出されるように構成されており、前記排出口から排出された遊技球が前記下皿へ貯留可能に構成されており、前記第二の球通路と前記発射手段の間に前記球送手段が位置するように構成されており、前記球送手段によって、前記第二の球通路を通過した遊技球を前記発射位置へ移動させるように構成されており、前記球送手段と前記第三の球通路が連通しない位置関係で構成されており、前記操作手段の操作があっても、前記球送手段が動作しないように構成されており、前記上皿を流下した遊技球が前記第一の球通路へ誘導されるように構成されており、前記扉体の状態を第一の状態から第二の状態へ変化可能に構成されており、前記第一の状態とは、前記扉体が閉鎖されている状態のことであり、前記第二の状態とは、前記扉体が開放されている状態のことであり、前記扉体が前記第一の状態であって、前記操作手段の操作がなかった場合に、前記第一の球通路の遊技球が前記第二の球通路へ誘導されるように構成されており、前記第一の球通路から前記第二の球通路へ進入した遊技球が、前記球送手段によって保持されるように構成されており、前記扉体が前記第一の状態であって、前記操作手段の操作があった場合に、前記第一の球通路の遊技球が前記第二の球通路へ誘導されないように構成されており、前記扉体が前記第一の状態であって、前記操作手段の操作があった場合に、前記第一の球通路の遊技球が前記第三の球通路へ誘導されるように構成されており、前記扉体が前記第二の状態において、前記第一の球通路の遊技球が前記第二の球通路へ誘導されないように構成されており、前記扉体が前記第二の状態であって、前記操作手段の操作がなかった場合に、前記第一の球通路の内部に遊技球が保持されるように構成されており、前記扉体が前記第二の状態であって、前記操作手段の操作があった場合に、前記第一の球通路の遊技球が前記第三の球通路を介して前記下皿へ誘導されるように構成されている、ことを特徴とする遊技台である。
また、前記本体（例えば、本体１０６）は、ケース体（例えば、カバー部４７４）が設けられたものであり、前記球送手段は、前記ケース体の一部（例えば、カバー部４７４の一部（突出部分））を含んで構成された手段であり、前記球送手段は、前記第二の球通路が設けられた手段であり、前記第二の球通路の一部が、前記ケース体における前記扉体側の壁部よりも突出するように構成されている、ものであってもよい。
また、前記球送手段は、前記扉体側へ突出した凸部（例えば、突出部４５０）が設けられた手段であり、前記操作手段とは、第二の操作手段（例えば、球排出レバー１３２）のことであり、前記扉体は、第一の部品（例えば、ストッパ３５４）が設けられたものであり、前記第一の部品は、第一の操作手段（例えば、操作部３５４ｄ）が設けられた部品であり、前記第一の部品は、第一の遮蔽手段（例えば、シャッタ３５４ｂ）が設けられた部品であり、前記第一の操作手段が操作されることで、前記第一の遮蔽手段が第一の位置（例えば、シャッタ３５４ｂの 球通過禁止位置）から第二の位置（例えば、シャッタ３５４ｂの球通過許可位置）へ移動するように構成され、前記扉体が閉鎖された際に、前記凸部により前記第一の操作手段が操作され、前記第一の位置とは、前記第一の球通路と前記第二の球通路を遮断する位置であり、前記第二の位置とは、前記第一の球通路を通過した遊技球が前記第二の球通路へ進入可能となる位置であってもよい。
また、前記扉体は、第二の部品（例えば、球排出装置５００）が少なくとも設けられたものであり、前記第二の部品は、第二の遮蔽手段（例えば、シャッタ５０８）を含んで構成された部品であり、前記第二の遮蔽手段は、前記第一の球通路と前記第三の球通路の間に設けられた手段であり、前記第二の遮蔽手段は、前記操作手段の操作があった場合に、第三の位置（例えば、図１１（ｂ）に示す球通過禁止位置）から第四の位置（例えば、図１１（ａ）に示す球通過許可位置）へ移動可能な手段であり、前記第三の位置とは、前記第一の球通路と前記第三の球通路を遮断する位置であり、前記第四の位置とは、前記第一の球通路を通過した遊技球が前記第三の球通路へ進入可能となる位置であってもよい。
【０１５４】
また、上記実施形態に係るパチンコ機１００は、本体（例えば、本体１０４）と、前記本体に取付可能な扉体（例えば、前面枠扉１０６）と、を備えた遊技台であって、前記本体は、遊技球を発射位置側へ移動させる球送装置（例えば、発射装置４５０）を備え、前記扉体が少なくとも閉鎖されている場合に、該扉体に設けられた扉側通路（例えば、扉側球通路ユニット３５０）の遊技球が前記球送装置側に供給されるように構成され、前記扉体が開放されている場合に、所定の部材（例えば、シャッタ３５４ｂ、３７０ｂ、３８０ｃ）によって、前記扉側通路の遊技球を前記球送装置側に供給されることが防止されている（前記扉側通路の遊技球の前記球送装置側への供給が阻止されている）、ことを特徴とする遊技台である。
【０１５５】
ここで、本発明に係る「扉体」は、扉側通路が設けられていればよく、例えば、透明板（例えば、無色透明のガラス板や無色透明のプラスチック板など）を少なくとも支持するガラス枠であってもよいし、遊技球を貯留可能な貯留皿（例えば、上皿）が設けられていてもよいし、遊技球を貯留可能な皿体から溢れた球を貯留可能な余剰球貯留皿（例えば、下皿）が設けられていてもよい。
【０１５６】
また、本発明に係る「扉体」は、扉側通路が設けられていればよく、例えば、貯留皿が設けられていなくてもよいし、余剰球貯留皿が設けられていなくてもよいし、貯留皿および余剰球貯留皿のうちの少なくとも一方が設けられていてもよいし、貯留皿および余剰球貯留皿のうちの貯留皿のみ設けられていてもよい。また、例えば、遊技球発射用の操作手段（例えば、球発射ハンドル）が設けられていてもよいし、スピーカが設けられていてもよいし、装飾用部材が設けられていてもよいし、所定の報知（例えば、扉開放の報知や払出の報知、電波や磁石などを使用したゴトが検知された場合の報知など）を行う報知手段（例えば、枠ランプ）が設けられていてもよい。
【０１５７】
また、本発明に係る「扉側通路」は、貯留皿および余剰球貯留皿のうちの少なくとも一方に貯留されている球を発射装置側や球送装置側に供給可能なものであってもよい。
【０１５８】
また、本発明に係る「球送装置」は、扉体に設けられていてもよく、その場合、扉側通路は、球送装置により送り出された遊技球を本体に設けられた発射装置側に案内するものとしてもよい。
【０１５９】
また、本発明においては、本体に本体側通路を設け、該本体側通路は、扉側通路により案内された遊技球を発射装置および球送装置のうち少なくとも一方に送り出すものでもよい。
【０１６０】
上記実施形態に係るパチンコ機１００によれば、扉を開放した場合でも本体側に遊技球を保持することが可能なので、メンテナンス後に遊技球をスムーズに発射位置側へ移動させ、遊技への復帰をスムーズに行うことができる場合がある。
【０１６１】
また、前記扉体は、前記所定の部材を備え、前記所定の部材は、該所定の部材を開閉可能な操作部（例えば、操作部３５４ｄ、３７０ｅ、３８０ｅ）を備え、前記球送装置は、前記扉体側に突出し、該球送装置に固定された係合部（例えば、突出部４５０ａ、本体側部材３７０ｆ、本体側部材３８０ｆ）があり、前記扉体が閉鎖された場合に、前記操作部と前記係合部が当接し、前記所定の部材が所定の位置まで移動することにより、前記扉側通路の遊技球を前記球送装置側に供給可能であってもよい。
【０１６２】
このような構成とすれば、扉の開放と閉鎖によって、扉側通路の遊技球を球送装置側に供給することが不可能な供給不能状態と、供給することが可能な供給可能状態を容易に切り替えることができ、利便性を高めることができる上に、扉の開放時に遊技球を通路の外へ流出させるのを防ぐことができる場合がある。
【０１６３】
また、前記係合部は、前記操作部が有する傾斜面と相補的形状である傾斜面を有してもよい。
【０１６４】
このような構成とすれば、扉の開放と閉鎖に伴って、係合部により操作部をスムーズに操作することができ、扉側通路の遊技球を球送装置側に供給することが不可能な供給不能状態と、供給することが可能な供給可能状態を確実に切り替えることができる場合がある。
【０１６５】
また、前記本体は、遊技球を遊技領域へ発射する発射槌（例えば、発射槌４８４）と、前記球送装置（例えば、球送りレバー４８８）と、を含む発射装置（例えば、発射装置４５０）を備え、前記発射装置は、前記本体から取り外し可能であってもよい。
【０１６６】
このような構成とすれば、メンテナンス後に遊技球をスムーズに発射位置側へ移動させ、遊技への復帰をスムーズに行うことができる場合がある。
【０１６７】
また、本発明に係る「係合部」は、上記実施形態で例示した係合部に限定されず、例えば、発射装置における所定の面に設けられ、所定の位置に固定されていてもよいし、発射装置における所定の面に設けられ、球送装置（例えば、図１７に示す球送りレバー４８８）の近傍に配置されていてもよい。また、発射装置における球送装置の突出量は、係合部の突出量と同じでもよいし、長くてもよい。
【０１６８】
また、前記扉体は、第一の通路と、第二の通路と、前記第一の通路から前記第二の通路に遊技球を排出させる排出操作部（例えば、球排出レバー１３２）と、第一の部材と、前記排出操作部が操作された場合に前記第一の通路と前記第二の通路を連通状態にさせる第二の部材（例えば、シャッタ５０８）と、を備え、前記第一の部材は、前記所定の部材であり、前記第一の通路は、前記扉側通路であり、前記所定の部材によって、前記扉側通路の遊技球を前記球送装置側に供給されることが防止されている場合、前記排出操作部により前記扉側通路と前記第二の通路を連通可能であってもよい。
【０１６９】
このような構成とすれば、扉側通路に残った遊技球を通路外に流出させることなく、確実に第二の通路へ排出させることができる場合がある。
【０１７０】
また、前記所定の部材を備えることなく、前記扉体が開放されている場合に、前記扉側通路の遊技球を前記球送装置側に供給されることが防止されていれば、部品点数を減らすことができる上に、本体側に遊技球を保持することが可能なので、メンテナンス後に遊技球をスムーズに発射位置へ移動させ、遊技への復帰をスムーズに行うことができる場合がある。
【０１７１】
また、前記扉を開放する場合に、上述の払出通路ユニット３００と排出口ユニット４００との連通状態が解除されるよりも前に、前記扉側通路と前記球送装置との連通状態が解除されるように構成すれば、扉を開放した場合に、球送装置へ送られる遊技球を先に遮断することができるため、不正行為を防止できる場合がある。また、払い出し通路が連通している間は、扉が開放していても払い出しだけは行われるので、遊技者の不安を解消できる場合がある。
【０１７２】
また、前記排出操作部と前記第二の部材が前記扉側に設けられ、前記第二の部材によって前記第二の通路への遊技球の供給が不可能な状態を解除する第三の部材が前記本体側に設けられていれば、店員の目の届きにくい扉が開放されている間は、ドル箱に遊技球を入れにくくなるので、不正に払い出された遊技球を入れるなどの不正行為を防ぐことができる場合がある。
【０１７３】
なお、前記扉が閉鎖されている場合に、前記排出操作部に設けられた係合部と前記第三の部材の係合部が係合状態となり、前記排出操作部を操作すると、該排出操作部に設けられた係合部と連動して前記第三の部材が動き、前記扉側通路と前記第二の通路が連通状態となる一方で、前記扉が開放されている場合に、前記排出操作部に設けられた係合部と前記第三の部材の係合部の係合状態が解除されたときに前記排出操作部を操作すると、該排出操作部は動作するが、前記第三の部材は連動せずに前記第二の部材による通路の遮断が解除されないように構成してもよい。
【０１７４】
また、前記本体は、遊技球を下皿へ移動させる球送装置を備え、前記扉体が閉鎖されている場合に、該扉体に設けられた扉側通路の遊技球が前記球送装置側に供給されるように構成され、前記扉体が開放されている場合に、所定の部材によって、前記扉側通路の遊技球を前記球送装置側に供給されることが防止されるように構成してもよい。
【０１７５】
ここで、球タンク１５０から排出された遊技球が上皿１２６（または下皿１２８）に到達するまでのルートについて上記図４を用いて説明する。球タンク１５０から排出された遊技球は、タンクレール１５４を通過して払出装置１５２に導かれる。また、払出装置１５２の排出口１５２ａから排出された遊技球は、払出通路ユニット３００を通過して排出口ユニット４００に移動する。
【０１７６】
この際、上皿１２６に遊技球が貯留可能な場合には、遊技球は払出通路ユニット３００の第１の遊技通路３０１ａを通過して排出口ユニット４００の第１の遊技通路４０１ａに移動して上皿１２６の方向に導かれるが、上皿１２６に遊技球が貯留不可能な場合（上皿１２６が満タンの場合）には、遊技球は払出通路ユニット３００の第２の遊技通路３０１ｂを通過して排出口ユニット４００の第２の遊技通路４０２ａに移動した後に、下皿用通路４０１ａを通過して下皿１２８の方向に導かれるように構成されている。
【０１７７】
また、発射装置によって打ち出された遊技球のうち、遊技盤まで到達しなかったり、発射槌で打ち損じた遊技球は、遊技盤の裏側に配置された遊技盤側通路４０１ｂを通過して本体１０６側に移動し、該本体１０６側に設けられた凹形状の本体側通路４０１ｃに当たって遊技盤側に移動し、該遊技盤の裏側に配置された下皿開口部４０１ｄを通過して下皿１２８に導かれるように構成されている。
【０１７８】
下皿の容量を超えて遊技球が入っているときに扉を開けた場合、遊技球が逆流し、通路外に流出してしまう可能性があるが、本発明に係る所定の部材を、上述の遊技盤側通路４０１ｂ、本体側通路４０１ｃ、下皿開口部４０１などに設け、当該所定の部材によって、遊技球の供給（移動）を防止するように構成すれば、扉の開放時に扉側または本体側に遊技球を保持させることができ、メンテナンス性を向上させることができる場合がある。
また、本発明に係る遊技台（例えば、ぱちんこ機１００）は、本体（例えば、本体１０６）と、前記本体に取付可能な扉体（例えば、前面枠扉１０６、扉体Ｄ）と、を備えた遊技台であって、前記扉体は、第一の球通路（例えば、球通路３５２）が少なくとも設けられたものであり、前記扉体は、第三の球通路（例えば、図１１（ａ）に示す球通路３５２のシャッタ５０８よりも下の通路）が少なくとも設けられたものであり、前記扉体は、操作手段（例えば、球排出レバー１３２）が少なくとも設けられたものであり、前記扉体は、皿体（例えば、上皿１２６）が少なくとも設けられたものであり、前記扉体は、排出口（例えば、下皿１２８）が少なくとも設けられたものであり、前記本体は、発射手段（例えば、発射槌４８４およびベース部４７２および球レール４７４ｂ、発射装置４５０）が少なくとも設けられたものであり、前記発射手段とは、発射位置（例えば、図２０（ｂ）に示す遊技球の位置）の遊技球を発射可能な手段であり、前記本体は、保持手段（例えば、球送手段（カバー部４７４の一部（突出部分）および球送りベース４９２および球送りレバー４８８（および駆動手段４９６））、発射装置４５０）が少なくとも設けられたものであり、前記本体は、第二の球通路（例えば、球通路４７４ａ）が少なくとも設けられたものであり、前記皿体は、前記第一の球通路へ遊技球を誘導可能なものであり、前記操作手段の操作がなかった際に、前記第一の球通路の遊技球が前記第二の球通路に誘導可能であり、前記操作手段の操作があった際に、前記第一の球通路の遊技球が前記第三の球通路に誘導され、前記排出口は、前記第三の球通路を通過した遊技球が排出されるものであり、前記保持手段は、前記第一の球通路を通過した遊技球が保持される手段であり、前記保持手段は、前記第二の球通路と前記発射位置の間にある手段であり、前記保持手段は、前記第三の球通路に連通していない手段であり、前記操作手段は、前記保持手段を動作させない手段である、ものであってもよい。
また、前記本体（例えば、本体１０６）は、ケース体（例えば、カバー部４７４）が少なくとも設けられたものであり、前記保持手段（例えば、球送手段（カバー部４７４の一部（突出部分）および球送りベース４９２および球送りレバー４８８（および駆動手段４９６））、発射装置４５０）は、前記ケース体を含んで構成された手段であり、前記保持手段は、前記第二の球通路（例えば、球通路４７４ａ）が少なくとも設けられた手段であり、前記第二の球通路の一部は、前記ケース体における前記扉体（例えば、前面枠扉１０６、扉体Ｄ）側の壁部よりも突出した通路であってもよい。
また、前記保持手段（例えば、球送手段（カバー部４７４の一部（突出部分）および球送りベース４９２および球送りレバー４８８（および駆動手段４９６））、発射装置４５０）は、前記扉体（例えば、前面枠扉１０６、扉体Ｄ）側へ突出した凸部（例えば、突出部４５０）が設けられた手段であり、前記操作手段とは、第二の操作手段（例えば、球排出レバー１３２）のことであり、前記扉体は、第一の部品（例えば、ストッパ３５４）が少なくとも設けられたものであり、前記第一の部品は、第一の操作手段（例えば、操作部３５４ｄ）が少なくとも設けられた部品であり、前記第一の部品は、第一の遮蔽手段（例えば、シャッタ３５４ｂ）が少なくとも設けられた部品であり、前記第一の遮蔽手段は、前記第一の操作手段が操作された場合に、第一の位置（例えば、シャッタ３５４ｂの 球通過禁止位置）から第二の位置（例えば、シャッタ３５４ｂの球通過許可位置）へ移動される手段であり、前記第一の操作手段は、前記扉体が閉鎖された際に、前記凸部により前記第一の操作手段が操作され、前記第一の位置とは、前記第一の球通路（例えば、球通路３５２）と前記第二の球通路（例えば、球通路４７４ａ）を遮断する位置のことであり、前記第二の位置とは、前記第一の球通路を通過した遊技球が前記第二の球通路へ進入可能となる位置であってもよい。
また、前記第一の球通路（例えば、球通路３５２）は、前記扉体（例えば、前面枠扉１０６、扉体Ｄ）が開放されている場合に、前記第二の球通路（例えば、球通路４７４ａ）へ遊技球を誘導しない通路であり、前記第一の球通路（例えば、球通路３５２）は、前記扉体が開放されている場合に、該第一の球通路の内部に遊技球を保持可能な通路であってもよい。
また、前記第三の球通路（例えば、図１１（ａ）に示す球通路３５２のシャッタ５０８よりも下の通路）は、前記扉体（例えば、前面枠扉１０６、扉体Ｄ）の開放中において前記操作手段（例えば、球排出レバー１３２）が操作された場合に、前記第一の球通路（例えば、球通路３５２）を通過した遊技球を前記排出口（例えば、下皿１２８）へ誘導する通路であってもよい。
また、前記扉体（例えば、前面枠扉１０６、扉体Ｄ）は、第二の部品（例えば、球排出装置５００）が少なくとも設けられたものであり、前記第二の部品は、第二の遮蔽手段（例えば、シャッタ５０８）を含んで構成された部品であり、前記第二の遮蔽手段は、前記第一の球通路（例えば、球通路３５２）と前記第三の球通路（例えば、図１１（ａ）に示す球通路３５２のシャッタ５０８よりも下の通路）の間に設けられた手段であり、前記第二の遮蔽手段は、前記操作手段（例えば、球排出レバー１３２）の操作があった場合に、第三の位置（例えば、図１１（ｂ）に示す球通過禁止位置）から第四の位置（例えば、図１１（ａ）に示す球通過許可位置）へ移動可能な手段であり、前記第三の位置とは、前記第一の球通路と前記第三の球通路を遮断する位置であり、前記第四の位置とは、前記第一の球通路を通過した遊技球が前記第三の球通路へ進入可能となる位置であってもよい。
また、前記保持手段は、球送手段（例えば、カバー部４７４の一部（突出部分）および球送りベース４９２および球送りレバー４８８（および駆動手段４９６））が少なくとも設けられた手段であり、前記球送手段とは、遊技球を前記発射位置へ移動させる手段であってもよい。
また、前記扉体（例えば、前面枠扉１０６、扉体Ｄ）は、下皿（例えば、下皿１２８）が少なくとも設けられたものであり、前記皿体とは、上皿（例えば、上皿１２６）のことであり、前記排出口は、前記下皿に設けられたものである、ものとしてもよい。
【０１７９】
また、本発明に係る遊技台は、パチンコ遊技機に限定されるものではなく、例えば、遊技球（例えば、パチンコ玉）を遊技媒体としたスロットマシン（いわゆるパチロット）や等にも適用可能であり、また、封入式遊技機にも適用可能である。
【０１８０】
ここで、「封入式遊技機」は、遊技機内に封入された遊技球を循環使用するものであり、当該封入式遊技機において、遊技盤から回収された遊技球を球送装置に案内する扉側通路が扉体に設けられていてもよい。
【０１８１】
また、封入式遊技機において、遊技盤から回収された遊技球を循環させる遊技球循環経路を通過した遊技球が球送装置に送られるようにしてもよい。また、封入式遊技機において、遊技盤から回収された遊技球の研磨を行う玉磨き装置を通過した遊技球が球送装置に送られるようにしてもよい。
【０１８２】
また、封入式遊技機において、発射杆の発射強度が不足した場合に遊技球が誘導されるファール球通路が球送り装置の近傍に設けられていてもよい。また、封入式遊技機において、球送装置から送られた遊技球が発射位置に送られたことを検知する発射検知手段を発射位置の直前に設けてもよい。また、発射検知手段は、球送装置の排出口と連通する通路に設けられていてもよい。
【０１８３】
なお、本発明の実施例に記載された作用および効果は、本発明から生じる最も好適な作用および効果を列挙したに過ぎず、本発明による作用および効果は、本発明の実施例に記載されたものに限定されるものではない。また、本発明は、異なる実施例に記載された構成を組み合わせることによっても実現可能である。
【産業上の利用可能性】
【０１８４】
本発明に係る遊技台は、回胴遊技機（スロットマシン）や弾球遊技球（ぱちんこ機）などに代表される遊技台に適用することができる。
【符号の説明】
【０１８５】
１００  パチンコ機
１０４  本体
１０６  前面枠扉
１２６  上皿
１５２  払出装置
１５４  タンクレール
３００  払出通路ユニット
４００  排出口ユニット
３５０  扉側球通路ユニット
３５４  ストッパ
３５４ａ  シャッタ
３５４ｄ  操作部
４５０  発射装置
４５０ａ  突出部
４８４  発射槌
４８８  球送りレバー
４９２  球送り部ベース
５００  球排出装置
５０８  シャッタ
【図１】
0005923782.tif 000002
【図２】
0005923782.tif 000003
【図３】
0005923782.tif 000004
【図４】
0005923782.tif 000005
【図５】
0005923782.tif 000006
【図６】
0005923782.tif 000007
【図７】
0005923782.tif 000008
【図８】
0005923782.tif 000009
【図９】
0005923782.tif 000010
【図１０】
0005923782.tif 000011
【図１１】
0005923782.tif 000012
【図１２】
0005923782.tif 000013
【図１３】
0005923782.tif 000014
【図１４】
0005923782.tif 000015
【図１５】
0005923782.tif 000016
【図１６】
0005923782.tif 000017
【図１７】
0005923782.tif 000018
【図１８】
0005923782.tif 000019
【図１９】
0005923782.tif 000020
【図２０】
0005923782.tif 000021
【図２１】
0005923782.tif 000022
【図２２】
0005923782.tif 000023
【図２３】
0005923782.tif 000024
【図２４】
0005923782.tif 000025
【図２５】
0005923782.tif 000026
【図２６】
0005923782.tif 000027
【図２７】
0005923782.tif 000028
【図２８】
0005923782.tif 000029
【図２９】
0005923782.tif 000030
【図３０】
0005923782.tif 000031
【図３１】
0005923782.tif 000032
【図３２】
0005923782.tif 000033
【図３３】
0005923782.tif 000034
【図３４】
0005923782.tif 000035
【図３５】
0005923782.tif 000036
【図３６】
0005923782.tif 000037
【図３７】
0005923782.tif 000038
【図３８】
0005923782.tif 000039
【図３９】
0005923782.tif 000040
【図４０】
0005923782.tif 000041
【図４１】
0005923782.tif 000042